(57)【要約】アクティブ型液晶表示装置の駆動に必要なコモン電源電圧とデータ信号電圧との電位差を利用して、対向側に新たな信号を入力することなく絵文字の表示を可能とし、さらにデータ信号の階調を調節することによって絵文字駆動における直流成分を軽減する。絵文字表示領域の絵文字電極は、動画表示領域を駆動するためのデータドライバの余剰出力端子の一部を使用して駆動する。これによって、コモン基板が全面電極である薄膜トランジスタ（ＴＦＴ）を用いた液晶表示装置において動画領域と絵文字領域とを備えた簡素な構造を提供する。
2003088201.tif 000002
【特許請求の範囲】
【請求項１】
動画を表示する動画表示領域と、絵文字表示領域とを備えた液晶表示装置であって、前記動画表示領域は薄膜トランジスタ素子で駆動される表示電極がマトリクス状に配置されて構成され、前記絵文字表示領域はセグメント電極が所定の絵文字の形に配置されて構成された液晶表示装置において、
コモン電極を前記動画表示領域と前記絵文字表示領域に対向する位置に設け、
走査ライン駆動用の走査側集積回路を、前記動画表示領域において行方向に配置された前記薄膜トランジスタに接続する各走査ラインに接続して設け、
データライン駆動用のデータ側集積回路を、前記動画表示領域において列方向に配置された前記薄膜トランジスタに接続する各データラインに接続して設けると共に、前記データ側集積回路には前記データラインの本数よりも多い出力端子を設け、
前記セグメント電極を、前記データ側集積回路の余剰出力端子に接続して、前記コモン電極の電位と前記データ側集積回路からの出力信号の電位との差により前記絵文字表示領域の前記絵文字を表示するようにしたことを特徴とする液晶表示装置。
【請求項２】
請求の範囲第１項に記載の液晶表示装置において、前記データ側集積回路からの前記セグメント電極への出力信号を、所定期間毎に異なる出力電位にすることを特徴とする液晶表示装置。
【請求項３】
請求の範囲第２項に記載の液晶表示装置において、前記所定期間毎に異なる出力電位を、前記コモン電極の電位の電圧範囲内にすることによって、前記データ出力信号の電位と、前記コモン電極の電位との差に起因する直流成分を抑えるようにしたことを特徴とする液晶表示装置。
【請求項４】
請求の範囲第２項に記載の液晶表示装置において、前記所定期間を前記コモン電極の電位の極性反転期間としたことを特徴とする液晶表示装置。
【請求項５】
請求の範囲第３項に記載の液晶表示装置において、前記所定期間毎に異なる出力電位を、前記データ側集積回路への階調を規定する入力信号によって制御するようにしたことを特徴とする液晶表示装置。
【請求項６】
動画を表示する動画表示領域と、絵文字表示領域とを備えた液晶表示装置であって、前記動画表示領域は動画用薄膜トランジスタ素子で駆動される表示電極がマトリクス状に配置されて構成され、前記絵文字表示領域は絵文字用薄膜トランジスタ素子で駆動される絵文字電極が所定の絵文字の形に配置されて構成された液晶表示装置において、
コモン電極を前記動画表示領域と前記絵文字表示領域に対向する位置に設け、
走査ライン駆動用の走査側集積回路を、前記動画表示領域において行方向に配置された前記動画用薄膜トランジスタに接続する各走査ラインに接続して設け、
データライン駆動用のデータ側集積回路を、前記動画表示領域において列方向に配置された前記動画用薄膜トランジスタに接続する各データラインに接続して設け、
前記絵文字用薄膜トランジスタのソース端子またはドレイン端子のいずれか一方を、前記データ側集積回路の複数の出力端子のうち、前記動画用薄膜トランジスタに接続された各データラインが接続する出力端子とは異なる出力端子に接続し、前記絵文字用薄膜トランジスタの他方の端子を前記絵文字電極に接続し、前記絵文字用薄膜トランジスタの他方の端子を前記走査側集積回路の出力端子に接続し、前記コモン電極の電位と前記絵文字用薄膜トランジスタのドレイン端子の電位との差により前記絵文字表示領域の前記絵文字を表示するようにしたことを特徴とする液晶表示装置。
【請求項７】
請求の範囲第６項に記載の液晶表示装置において、前記絵文字表示領域に複数の前記絵文字電極および複数の前記絵文字用薄膜トランジスタを設け、複数の前記絵文字用薄膜トランジスタのゲート端子を、前記走査側集積回路の同一の出力端子に接続することを特徴とする液晶表示装置。
【請求項８】
請求の範囲第６項に記載の液晶表示装置において、前記絵文字表示領域に複数の前記絵文字電極および複数の前記絵文字用薄膜トランジスタを設け、複数の前記絵文字用薄膜トランジスタのゲート端子を、前記走査側集積回路の異なる出力端子に接続することを特徴とする液晶表示装置。
【請求項９】
請求の範囲第６項に記載の液晶表示装置において、一つの前記絵文字電極に複数の前記絵文字用薄膜トランジスタを接続することを特徴とする液晶表示装置。
【請求項１０】
請求の範囲第９項に記載の液晶表示装置において、同一の前記絵文字電極に接続された複数の前記絵文字用薄膜トランジスタのゲート端子を、前記走査側集積回路の異なる出力端子に接続することを特徴とする液晶表示装置。
【請求項１１】
請求の範囲第６項に記載の液晶表示装置において、前記絵文字用薄膜トランジスタのゲート端子を、前記走査側集積回路の複数の出力端子のうち、前記動画用薄膜トランジスタに接続された各走査ラインが接続する出力端子とは異なる出力端子に接続することを特徴とする液晶表示装置。
【請求項１２】
請求の範囲第６項に記載の液晶表示装置において、前記絵文字表示領域に複数の前記絵文字電極および複数の前記絵文字用薄膜トランジスタを設け、複数の前記絵文字用薄膜トランジスタのソース端子を、前記データ側集積回路の同一の出力端子に接続し、複数の前記絵文字用薄膜トランジスタの他方の端子を、前記走査側集積回路の異なる出力端子に接続することを特徴とする液晶表示装置。
【発明の詳細な説明】
技術分野
本発明は動画表示領域と絵文字表示領域を備えた液晶表示装置に関し、特に、動画表示領域の表示電極が薄膜トランジスタによって駆動される液晶表示装置に関する。
背景技術
近年、液晶表示装置を使用した携帯型電子機器、たとえば、電子手帳や携帯電話等が普及している。さらに、これまでの携帯型電子機器は静止画を表示するのみであったが、動画を表示できる携帯型電子機器が普及しつつある。
一方、このような携帯型電子機器では、駆動源となる電池の消耗状態やアラーム状態、特に、携帯電話ではアンテナレベルの状態を表す絵文字表示は必要不可欠なものとなりつつある。また、最近では、携帯型電子機器の低コスト化と省スペース化のために、１つの液晶表示装置内に、動画等の主たる画像を表示するための動画表示領域と、絵文字のような静止固定画像を表示するための絵文字表示領域とを併せ持った携帯型電子機器が登場している。
たとえば、単純マトリクス型液晶表示装置については、特開昭６１−１７７４８７号公報において、データ側集積回路の出力端子の一部を、絵文字表示領域の絵文字電極に接続することが開示されている。また、特開２０００−１０５３０号公報には、データ側集積回路の出力端子の一部を、絵文字表示領域の絵文字電極と対向基板に形成された対向電極に接続し、絵文字電極と対向電極の間の電位差によって絵文字電極を点滅させる技術が開示されている。また、ＴＦＴ型液晶表示装置については、特開２００１−１８３９９８号公報に記載されている。特開２００１−１８３９９８号公報に記載の発明やこれを改良した特開平２００１−１８４０００号公報に記載の発明には、表示電極がマトリクス状に配置された非固定画像の表示領域と、セグメント電極からなる固定画像の表示領域とを同一基板上に備えた表示装置が開示されている。非固定画像の表示領域にはスイッチング素子である薄膜トランジスタ（ＴＦＴ）とこのＴＦＴに接続する表示電極が設けられており、ＴＦＴには、ゲートドライバからゲート信号線を通じて供給されるゲート信号と、ドレインドライバからドレイン信号線を通じて供給されるドレイン信号とが供給されることが開示されている。
また、固定画像の表示領域にあるセグメント電極には、入力部に接続されたセグメントドライバからの駆動信号が入力されることが開示されている。
しかしながら、特開２００１−１８３９９８号公報や特開２００１−１８４０００号公報に記載の発明では、固定画像の表示領域にあるセグメント電極を、ドレインドライバとは別個に設けたセグメントドライバからの駆動信号により駆動していたので、ドレインドライバとは別個にセグメントドライバを設置しなければならず、携帯型電子端末の省スペース化、低コスト化の面で不十分であるという課題があった。
また、特開２００１−１８３９９８号公報や特開２００１−１８４０００号公報に記載の発明では、具体的なデータ側集積回路への入力信号および出力信号については開示されておらず、コモン電極の電源電位とデータ出力信号電位の関係についても開示されていない。さらに、コモン電極の電源電位とデータ出力信号電位の関係から生じる直流駆動の課題については何も指摘されていないし、その課題を軽減するための駆動についても開示されていない。
そこで、本発明はＴＦＴを用いた液晶表示装置であって、非固定画像を表示するための領域と、静止固定画像を表示するための領域の２つの表示領域を備えた液晶表示装置において、省スペースでかつ低コストのドライバを使用して、非固定画像と静止固定画像の両方の画像を１つの駆動ドライバによって駆動することができる液晶表示装置を提供することを目的とする。
発明の開示
上記目的を達成する第１の発明にかかる液晶表示装置は、動画を表示する動画表示領域と、絵文字表示領域とを備えた液晶表示装置であって、動画表示領域は薄膜トランジスタ素子で駆動される表示電極がマトリクス状に配置されて構成され、絵文字表示領域はセグメント電極が所定の絵文字の形に配置されて構成された液晶表示装置において、コモン電極を動画表示領域と絵文字表示領域に対向する位置に設け、走査ライン駆動用の走査側集積回路を、動画表示領域において行方向に配置された薄膜トランジスタに接続する各走査ラインに接続して設け、データライン駆動用のデータ側集積回路を、動画表示領域において列方向に配置された薄膜トランジスタに接続する各データラインに接続して設けると共に、データ側集積回路にはデータラインの本数よりも多い出力端子を設け、セグメント電極を、データ側集積回路の余剰出力端子に接続して、コモン電極の電位とデータ側集積回路からの出力信号の電位との差により絵文字表示領域の絵文字を表示するようにしたことを特徴とするものである。
第１の発明において、データ側集積回路からのセグメント電極への出力信号を、所定期間毎に異なる出力電位にすることができる。また、この場合、所定期間毎に異なる出力電位を、コモン電極の電位の電圧範囲内にすることによって、データ出力信号の電位と、コモン電極の電位との差に起因する直流成分を抑えるようにすることができる。また、所定期間は、コモン電極の電位の極性反転期間とすることができ、さらに、所定期間毎に異なる出力電位を、データ側集積回路への階調を規定する入力信号によって制御することも可能である。
また、上記目的を達成する第２の発明にかかる液晶表示装置は、動画を表示する動画表示領域と、絵文字表示領域とを備えた液晶表示装置であって、動画表示領域は動画用薄膜トランジスタ素子で駆動される表示電極がマトリクス状に配置されて構成され、絵文字表示領域は絵文字用薄膜トランジスタ素子で駆動される絵文字電極が所定の絵文字の形に配置されて構成された液晶表示装置において、コモン電極を動画表示領域と絵文字表示領域に対向する位置に設け、走査ライン駆動用の走査側集積回路を、動画表示領域において行方向に配置された動画用薄膜トランジスタに接続する各走査ラインに接続して設け、データライン駆動用のデータ側集積回路を、動画表示領域において列方向に配置された動画用薄膜トランジスタに接続する各データラインに接続して設け、絵文字用薄膜トランジスタのソース端子を、データ側集積回路の複数の出力端子のうち、動画用薄膜トランジスタに接続された各データラインが接続する出力端子とは異なる出力端子に接続し、絵文字用薄膜トランジスタのドレイン端子を絵文字電極に接続し、絵文字用薄膜トランジスタのゲート端子を走査側集積回路の出力端子に接続し、コモン電極の電位と絵文字用薄膜トランジスタのドレイン端子の電位との差により絵文字表示領域の絵文字を表示するようにしたことを特徴とするものである。
第２の発明において、絵文字表示領域に複数の絵文字電極および複数の絵文字用薄膜トランジスタを設け、複数の絵文字用薄膜トランジスタのゲート端子を、走査側集積回路の同一の出力端子に接続する構成としてもよいし、異なる出力端子に接続する構成としてもよい。また、一つの絵文字電極に複数の絵文字用薄膜トランジスタを接続する構成とすることもでき、その場合に同一の絵文字電極に接続された複数の絵文字用薄膜トランジスタのゲート端子を、走査側集積回路の異なる出力端子に接続する構成としてもよい。さらに、絵文字用薄膜トランジスタのゲート端子を、走査側集積回路の複数の出力端子のうち、動画用薄膜トランジスタに接続された各走査ラインが接続する出力端子とは異なる出力端子に接続する構成としてもよい。また、絵文字表示領域に複数の絵文字電極および複数の絵文字用薄膜トランジスタを設け、複数の絵文字用薄膜トランジスタのソース端子を、データ側集積回路の同一の出力端子に接続し、複数の絵文字用薄膜トランジスタのゲート端子を、走査側集積回路の異なる出力端子に接続する構成としてもよい。
本発明によれば、データ側集積回路の出力端子の一部を絵文字表示のために使用することにより、液晶表示装置の省スペース化と低コスト化を図ることができる。このとき、第１の発明のように絵文字表示領域の絵文字電極がセグメント電極で構成される場合には、セグメント電極に印加する絵文字電位波形と、コモン電極に印加するコモン電源波形との位相が異なれば絵文字は表示され、位相が同じであれば絵文字は表示されない。ただし、コモン電極上の電源電位は非対称な電気特性を持つＴＦＴ素子を補正して駆動するため、データ側集積回路の出力電圧範囲に対して低い電位の電圧範囲（低いオフセット電位）となる。従って、その程度によっては直流成分の発生を抑えるためにデータ階調入力信号によって、データ側集積回路の出力電位を制御する必要もある。一方、第２の発明のように絵文字電極が薄膜トランジスタにより駆動される構成の場合には、この薄膜トランジスタのドレイン端子の電位とコモン電極に印加される電位との差により絵文字が表示される。この場合、絵文字電極も薄膜トランジスタにより駆動するので、第１の発明のような直流成分の発生を抑えるための制御は不要である。
発明を実施するための最良の形態
以下、添付図面を用いて本発明における液晶表示装置の最適な実施の形態を、具体的な実施例に基づいて説明する。
第１図（ａ）は本発明の一実施例の液晶表示装置を備えた携帯機器１０の外観を示すものである。携帯機器１０の前面には、内蔵された液晶表示装置の表示画面１１、電源スイッチ１２、第１の操作ボタン１３、および第２の操作ボタン１４がある。また、表示画面１１は、区切り線１０３によって絵文字等の固定画を表示する絵文字表示領域３３と、動画を表示する動画表示領域３４とに区切られている。そして、絵文字表示領域３３には、この実施例では、矩形状の第１の絵文字２１と、丸型形状の第２の絵文字２２とが設けられている。これらの絵文字２１，２２は、絵文字表示領域３３にセグメント電極を設けることによって実現することができる。そして、たとえば、この第１の絵文字２１は電源のオンの時に現れ、第２の絵文字２２は音のオフの時に現れるようにすることができる。
第１図（ｂ）は第１図（ａ）に示した実施例の液晶表示装置を備えた携帯機器１０の変形例の外観を示すものである。変形例の携帯機器１０の構成は、第１図（ａ）の携帯機器１０と液晶表示装置の表示画面１１の構成が異なるのみであり、その他の構成は全く同じである。よって、同じ構成部材には同じ符号を付してその説明を省略する。第１図（ａ）に示した実施例では、表示画面１１の絵文字表示領域３３には背景色がなかったが、第１図（ｂ）に示した実施例では、この絵文字表示領域３３にある第１の絵文字２１と第２の絵文字２２の周囲に、後述する背景電極があり、絵文字の周囲に背景２８が表示されるようになっている。
第２図は、第１図（ａ），（ｂ）に示した本発明の一実施例の携帯機器１０に内蔵された液晶表示装置１５の構成を説明するものである。液晶表示装置１５には、液晶表示器９、液晶表示するための信号発生回路である制御回路１６と電源回路１７を搭載した印刷回路基板（ＰＣＢ）１８、および、ＰＣＢ１８からの信号と電源とを液晶表示器９に供給するためのフレキシブル印刷回路基板（ＦＰＣ）３１とがある。
液晶表示器９は、データ側集積回路２６と走査側集積回路２７がチップオングラス（ＣＯＧ）実装されると共に、表示画素電極等が形成された素子基板８と、この素子基板８に対向する位置に設けられたコモン基板３５、および、素子基板８とコモン基板３５の間に注入された液晶３６を備えて構成されている。
素子基板８の上に形成された表示画素電極にはＴＦＴ（薄膜トランジスタ）が接続されている。また、コモン基板３５にはその全面に透明電極膜からなるコモン電極３２が形成されている。そして、このコモン電極３２は、後述する絵文字のような固定静止画を表示する絵文字表示領域３３と、動画や固定でない静止画等を表示する動画表示領域３４とに分割されている。
液晶表示装置１５の動画表示領域３４の解像度、すなわち、素子基板８の上に設けられた表示画素数は、この実施例では１行（横方向）に２３７個、１列（縦方向）に１２０個である。また、この実施例の液晶表示装置１５は、表示画素電極に何も電圧を印加しない場合は光を反射するモード（ノーマリ白）の反射型液晶表示装置である。
ＦＰＣ３１とＰＣＢ１８とは、圧着コネクタ（図示せず）によって接続されており、ＦＰＣ３１と素子基板８とは異方性導電シート（ＡＣＳ）によって熱圧着されている。ＦＰＣ３１に図示された破線は、ＦＰＣ３１の裏側（紙面裏面）に設けられた配線を示している。
ＦＰＣ３１はＰＣＢ１８に備えられた信号発生回路である制御回路１６から発生する信号、および電源回路１７から発生する電源を、データ側集積回路２６と走査側集積回路２７に入力し、データ側集積回路２６と走査側集積回路２７からの出力を素子基板８に設けられたＴＦＴ２９に入力する役割を果す。
動画表示領域３４にある１つの画素３９は、ＴＦＴ２９、ＴＦＴ２９に接続する表示画素電極３８、表示画素電極３８に対向するコモン電極３２、および、表示画素電極３８とコモン電極３２に挟まれた液晶３６とから構成される。そして、各画素３９は、データ側集積回路２６の出力をデータ信号とし、走査側集積回路２７の出力を走査信号として駆動される。このため、データ側集積回路２６には動画用の２３７本のデータライン６が接続しており、走査側集積回路２７にはデータライン６に交差する１２０本の走査ライン７が接続している。そして、データライン６と走査ライン７の交差部分に、各画素３９が形成されている。従って、２３７列１２０行の画素３９は、時分割線順次駆動（マルチプレックス駆動）することによって、表示領域３４に画像を表示する。データ側集積回路２６は、素子基板８に異方性導電シート（ＡＣＳ）によって熱圧着にて実装されている。
一方、この実施例では、絵文字表示領域３３には、第１の絵文字を表示するためのセグメント電極である第１の絵文字電極２３と、第２の絵文字を表示するためのセグメント電極である第２の絵文字電極２４が、素子基板８の上に形成されている。また、第１の絵文字２３と第２の絵文字２４の周囲に、第１図（ｂ）で説明した背景２８を表示するための背景電極２５が設けられることもある。このため、データ側集積回路２６からは、この第１の絵文字電極２３への信号ライン１９、第２の絵文字電極２４への信号ライン２０、および背景２８が形成される場合には、背景電極２５への信号ライン３０が設けられる。従って、この実施例では、データ側集積回路２６には、動画用のデータライン６と、固定画用の信号ライン１９，２０，３０が必要である。
信号ライン１９，２０（背景電極２５がある場合は信号ライン３０も）は、データ側集積回路２６に設けられた動画用のデータライン６以外のラインであり、データ側集積回路２６に追加して設けられたクロム（Ｃｒ）金属の電極に接続している。信号ライン１９，２０（背景電極２５がある場合は信号ライン３０も）は、酸化インジウムスズ（ＩＴＯ）によって形成された第１の絵文字電極２３（長方形のパタン）と、第２の絵文字電極２４（背景がある場合には背景電極２５）に接続されている。
ここで、ＰＣＢ１８と素子基板８とを接続するＦＰＣ３１に設けられている各配線の意味について説明する。
ＦＰＣ３１の上にあるＰ１，Ｐ２，Ｐ３は電源線であり、ＰＣＢ１８にある電源回路１７からの電源を素子基板８に供給するものである。第１の電源線Ｐ１は複数本の電源線群からなり、データ側集積回路２６を駆動するための電源、たとえば、グランド（ＧＮＤ，０Ｖ電位）および＋５Ｖ電位の電源をデータ側集積回路２６に供給する。第２の電源線Ｐ２も複数本の電源線群からなり、走査側集積回路２７を駆動するための電源、たとえば、グランド（０Ｖ）、＋５Ｖ、−１５Ｖ、および＋１５Ｖの電源を走査側集積回路２７に供給する。第３の電源線Ｐ３は基底信号線であり、通常、素子基板８の上に形成されたＴＦＴ２９の動作に必要なコモン基板３５のコモン電極３２の電位を規定するコモン電源をコモン基板３５に供給する。
また、ＦＰＣ３１の上にあるＤはデータ信号線群、Ｌはラッチ信号線、Ｃはクロック信号線、Ｓはスタート信号線であり、それぞれデータ側集積回路２６に信号を伝達するものである。データ信号線群Ｄは、液晶表示器９の階調を規定する信号群をデータ側集積回路２６に伝達するものであり、この実施例では、０ビット目のデータ線、１ビット目のデータ線、２ビット目のデータ線、および３ビット目のデータ線の４本から成る。ラッチ信号線Ｌは、データ側集積回路２６に読み込まれたデータを、データ側集積回路２６から出力するタイミングを規定するためのラッチ信号を伝達するものである。クロック信号線Ｃは、データ信号線群Ｄによって伝達される信号を読み込むタイミングを規定する信号を伝達するものである。また、スタート信号線Ｓは、データ側集積回路２６へデータ信号線群Ｄで伝達されるデータ信号群の読み込みを開始するタイミングを規定する信号を伝達するものである。
さらに、ＦＰＣ３１の上にあるＹは同期信号線群であり、同期信号を走査側集積回路２７に伝達するものである。この同期信号線群Ｙは、フレームスタート信号と行クロック信号から成る。この行クロック信号は行選択のタイミングを規定する信号であり、フレームスタート信号は最初の行を選択するタイミングを示す信号である。
走査側集積回路２７は、ＦＰＣ３１を介して入力される信号に応じて順次走査出力する機能を持つ。また、走査側集積回路２７は、フレームスタート信号が入力されるとクロック信号の立ち上がりのタイミングにおいて、データ側集積回路２６に近い側の走査ライン７から順に、走査ライン７を順次選択する。
ここで、以上のように構成された液晶表示装置１５の動作を、３つの形態について説明する。
（第１の形態）
第１の形態の液晶表示装置１５は、第１図（ａ）に示したように、絵文字表示領域３３に背景電極が設けられていない形態であり、この場合のデータ側集積回路２６の動作について説明する。
第２図に示すスタート信号線Ｓの信号がデータ側集積回路２６に入力されると、クロック信号線Ｃの信号の立ち上がりのタイミングに従ってデータ信号線群Ｄのデータ信号が読み込まれる。データ側集積回路２６は、ラッチ信号線Ｌのラッチ信号の立ち上がりのタイミングでデータライン６と信号ライン１９，２０に出力信号を出力する。この出力信号は、データ信号線群Ｄに従ったパルスハイトモジュレーション（ＰＨＭ）方式によって１６階調表示に相当する電位となる。同じくコモン電極３２への電源もラッチ信号の立ち上がりのタイミングで、その電位が変更される。
次に、絵文字領域３３を駆動するための信号の詳細について第３図を用いて説明する。第３図はデータ側集積回路２６による第１の絵文字電極２３と、第２の絵文字電極２４への出力信号を説明するための、入出力タイミングを示すタイミングチャートである。
ラッチ信号４１は、その立ち上がりにおいてデータ側集積回路２６の出力信号を出力するタイミングを規定するための同期信号である。クロック信号４２は、データ側集積回路２６にデータ信号群を入力するためのタイミングを規定するための同期信号である。
ここで、データ信号線群Ｄの０ビット目のデータ線を流れる信号を０ビットデータ信号４３、１ビット目のデータ線を流れる信号を１ビットデータ信号４４、２ビット目のデータ線を流れる信号を２ビットデータ信号４５、および３ビット目のデータ線を流れる信号を３ビットデータ信号４６とする。０ビットデータ信号４３は、データ側集積回路２６への最下位のデータ信号である。１ビットデータ信号４４は、データ側集積回路２６への第２ビット目のデータ信号である。２ビットデータ信号４５は、データ側集積回路２６への第３ビット目のデータ信号である。３ビットデータ信号４６は、データ側集積回路２６への最上位のデータ信号である。
第１絵文字出力信号６５は、第１の絵文字電極２３を駆動するためにデータ側集積回路２６から出力される信号であり、第２絵文字出力信号６６は、第２の絵文字電極２４を駆動するためにデータ側集積回路２６から出力される信号である。また、コモン電源電圧６７は、コモン基板３５に形成されたコモン電極３２の電位を示すものである。
次に、第１の絵文字２１と第２の絵文字２２の点灯動作を、第３図に示すタイミングチャートに従って説明する。なお、動画表示領域３４には１行に２３７個の画素があり、以後の説明では、左端の画素を１列目、その右隣の画素を２列目としている。
時刻Ｔ１において１列目のデータがデータ側集積回路２６に入力される。以下、順次データ信号の立ち上がりに同期して２列目以降のデータがデータ側集積回路２６に入力され、時刻Ｔ２において２３７列目のデータがデータ側集積回路２６に入力される。すなわち、時刻Ｔ１から時刻Ｔ２において動画表示領域３４のデータがデータ側集積回路２６に入力される。時刻Ｔ３において２３８列目のデータがデータ側集積回路２６に入力される。時刻Ｔ４において２３９列目のデータがデータ側集積回路２６に入力され、時刻Ｔ５において２４０列目のデータがデータ側集積回路２６に入力される。すなわち、時刻Ｔ４において第１の絵文字２１の点滅に関するデータ（第１の絵文字電極２３に出力する出力信号）が規定され、時刻Ｔ５において第２の絵文字２２の点滅に関するデータ（第２の絵文字電極２４に出力する出力信号）が規定される。時刻Ｔ１から時刻Ｔ２、時刻Ｔ３、時刻Ｔ４、時刻Ｔ５において読み込まれたデータを反映した出力信号は、時刻Ｔ６から時刻Ｔ１２までの間継続して出力される。
次の行は、時刻Ｔ７において１列目のデータがデータ側集積回路２６に入力される。以下、順次データ信号の立ち上がりに同期して２列目以降のデータがデータ側集積回路２６に入力され、時刻Ｔ８において２３７列目のデータがデータ側集積回路２６に入力される。すなわち、時刻Ｔ７から時刻Ｔ８において動画表示領域３４のデータがデータ側集積回路２６に入力される。時刻Ｔ９において２３８列目のデータがデータ側集積回路２６に入力される。時刻Ｔ１０において２３９列目のデータがデータ側集積回路２６に入力され、時刻Ｔ１１において２４０列目のデータがデータ側集積回路２６に入力される。すなわち、時刻Ｔ１０において第１の絵文字２１の点滅に関するデータが規定され、時刻Ｔ１１において第２の絵文字２２の点滅に関するデータが規定される。
時刻Ｔ７から時刻Ｔ８、時刻Ｔ９、時刻Ｔ１０、時刻Ｔ１１において読み込まれたデータを反映した出力信号が時刻Ｔ１２から継続して出力される。
また、時刻Ｔ１以前の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定され、時刻ｔ１１において第２の絵文字２２の点滅に関するデータが規定される。
時刻ｔ１０、時刻ｔ１１において読み込まれたデータを反映した出力信号が時刻ｔ１２から時刻Ｔ６まで継続して出力される。
ここで、出力は液晶を交流駆動するため、コモン電源電圧６７がハイレベルになる場合はデータ信号をそのまま反映させた出力とし、コモン電源電圧６７がロウレベルになる場合は入力されたデータ信号を反転させた出力となる。
従って、データ側集積回路２６からの出力である第１絵文字出力信号６５は、時刻ｔ１０のデータである「００００」の反転信号が反映されて、時刻ｔ１２においてハイレベルが出力され、時刻Ｔ４のデータである「００００」はそのまま反映されて、時刻Ｔ６においてロウレベルが出力され、時刻Ｔ１０のデータである「００００」の反転信号が反映されて、時刻Ｔ１２においてハイレベルが出力される。
一方、データ側集積回路２６からの出力である第２絵文字出力信号６６は、時刻ｔ１１のデータである「１１１１」の反転信号が反映されて、時刻ｔ１２においてロウレベルが出力され、時刻Ｔ５のデータである「１１１１」はそのまま反映されて、時刻Ｔ６においてハイレベルが出力され、時刻Ｔ１１のデータである「１１１１」の反転信号が反映されて、時刻Ｔ１２においてロウレベルが出力される。
なお、ここではロウレベルを「０」、ハイレベルを「１」としている。
次に、液晶駆動が実効値に依存することから、絵文字電極２３，２４に印加される電圧と実効値について第４図を用いて説明する。第１絵文字電極印加電圧は実際に第１の絵文字電極２３に印加される電圧と実効値を示す。
実線で示されるコモン電源電位波形７０はコモン電圧の電位がＴＦＴ駆動の特性上、−０．５Ｖを基底とした＋４．５Ｖとの間で電位が変化する交流電源であり、時刻ｔ１２において＋４．５Ｖから−０．５Ｖに電位が変化し、時刻Ｔ６において−０．５Ｖから＋４．５Ｖに電位が変化し、時刻Ｔ１２において＋４．５Ｖから−０．５Ｖに電位が変化する。
一点鎖線で示される第１絵文字電位波形７１はＧＮＤ（０Ｖ）を基底とした＋５．０Ｖとの間で電位が変化する交流電源であり、時刻ｔ１２においてＧＮＤから＋５．０Ｖに電位が変化し、時刻Ｔ６において＋５．０ＶからＧＮＤに電位が変化し、時刻Ｔ１２においてＧＮＤから＋５．０Ｖに電位が変化する。
第１の実効値７３は＋５．０Ｖの第１絵文字電位波形７１と−０．５Ｖのコモン電源電位波形７０の間の電位差によって生じる実効値であり、第２の実効値７４はＧＮＤの第１絵文字電位波形７１と＋４．５Ｖのコモン電源電位波形７０の間の電位差によって生じる実効値である。第１の実効値７３（５．５Ｖｒｍｓ）と第２の実効値７４（４．５Ｖｒｍｓ）による平均実効値５Ｖｒｍｓによってノーマリ白の液晶表示装置における第１の絵文字２１は黒く表示される。
第２絵文字電極印加電圧は実際に第２の絵文字電極２４に印加される電圧と実効値を示す。一点鎖線で示される第２絵文字電位波形７２はＧＮＤ（０Ｖ）を基底とした＋５．０Ｖとの間で極性が変化し、時刻ｔ１２において＋５．０ＶからＧＮＤに変位し、時刻Ｔ６においてＧＮＤから＋５．０Ｖに変位し、時刻Ｔ１２において＋５．０ＶからＧＮＤに変位する。
第３の実効値７５はＧＮＤの第２絵文字電位波形７２と−０．５Ｖのコモン電源電位波形７０の間の電位差によって生じる実効値であり、第４の実効値７６は＋５．０Ｖの第２絵文字電位波形７２と＋４．５Ｖのコモン電源電位波形７０の間の電位差によって生じる実効値である。第３の実効値７５（０．５Ｖｒｍｓ）と第４の実効値７６（０．５Ｖｒｍｓ）による平均実効値は０．５Ｖｒｍｓである。通常の液晶の光学的な変化は１．５Ｖｒｍｓから２．０Ｖｒｍｓより開始することから、ノーマリ白の液晶表示装置における第２の絵文字２２は白く表示される。
ここで、コモン電源電位波形７０を基準に考えると、第１の実効値７３の第１絵文字電位波形７１の電位差は＋５．５Ｖであり、第２の実効値７４の第１絵文字電位波形７１の電位差は−４．５Ｖであるので、平均直流成分として０．５Ｖが発生する。また、コモン電源電位波形７０を基準に考えると、第３の実効値７５の第２絵文字電位波形７２の電位差は＋０．５Ｖであり、第４の実効値７６の第２絵文字電位波形７２の電位差は＋０．５Ｖであるので、平均直流成分として０．５Ｖが発生する。この直流成分は液晶材料によっては劣化や焼き付きといった問題が生じることもあるが、適切な液晶材料を選びコモン電源を調節すれば軽減することができる。
第１の形態においてはコモン電極電圧として−０．５Ｖから＋４．５Ｖについて説明したがこの電位に規定されるものではなく、また出力電圧のＧＮＤから＋５．０Ｖの電位についても規定するものではない。
（第２の形態）
次に、第１の形態で説明した直流成分を階調調節によって軽減する第２の形態について第５図、第６図により説明する。まず、第２の形態の液晶表示装置１５の動作を第５図に示すタイミングチャートに従って説明する。第２の形態の液晶表示装置１５も、絵文字表示領域３３に背景電極が設けられていない形態である。
第５図はデータ側集積回路２６の絵文字点灯を説明するための入出力タイミングを示すタイミングチャートである。ラッチ信号４１は、その立ち上がりにおいてデータ側集積回路２６の出力信号を出力するタイミングを規定するための同期信号である。クロック信号４２は、データ側集積回路２６にデータ信号群を入力するためのタイミングを規定するための同期信号である。
０ビットデータ信号４３はデータ側集積回路２６への最下位のデータ信号、１ビットデータ信号４４はデータ側集積回路２６への第２ビット目のデータ信号、２ビットデータ信号４５はデータ側集積回路２６への第３ビット目のデータ信号、および３ビットデータ信号４６はデータ側集積回路２６への最上位のデータ信号である。
第１絵文字出力信号６５は、第１の絵文字電極２３を駆動するためのデータ側集積回路２６から出力される信号であり、第２絵文字出力信号６６は、第２の絵文字電極２４を駆動するためのデータ側集積回路２６から出力される信号であり、コモン電源電圧６７は、コモン基板３５に形成されたコモン電極３２の電位を示すものである。
時刻Ｔ１において１列目のデータがデータ側集積回路２６に入力される。以下、順次データ信号の立ち上がりに同期して２列目以降のデータがデータ側集積回路２６に入力され、時刻Ｔ２において２３７列目のデータがデータ側集積回路２６に入力される。すなわち、時刻Ｔ１から時刻Ｔ２において動画表示領域３４のデータがデータ側集積回路２６に入力される。時刻Ｔ３において２３８列目のデータがデータ側集積回路２６に入力される。時刻Ｔ４において２３９列目のデータがデータ側集積回路２６に入力され、時刻Ｔ５において２４０列目のデータがデータ側集積回路２６に入力される。すなわち、時刻Ｔ４において第１の絵文字２１の点滅に関するデータが規定され、時刻Ｔ５において第２の絵文字２２の点滅に関するデータが規定される。時刻Ｔ１から時刻Ｔ２、時刻Ｔ３、時刻Ｔ４、時刻Ｔ５において読み込まれたデータが反映された出力信号が時刻Ｔ６から時刻Ｔ１２まで継続して出力される。
次の行は、時刻Ｔ７において１列目のデータがデータ側集積回路２６に入力される。以下、順次データ信号の立ち上がりに同期して２列目以降のデータがデータ側集積回路２６に入力され、時刻Ｔ８において２３７列目のデータがデータ側集積回路２６に入力される。すなわち、時刻Ｔ７から時刻Ｔ８において動画表示領域３４のデータがデータ側集積回路２６に入力される。時刻Ｔ９において２３８列目のデータがデータ側集積回路２６に入力される。時刻Ｔ１０において２３９列目のデータがデータ側集積回路２６に入力され、時刻Ｔ１１において２４０列目のデータがデータ側集積回路２６に入力される。すなわち、時刻Ｔ１０において第１の絵文字２１の点滅に関するデータが規定され、時刻Ｔ１１において第２の絵文字２２の点滅に関するデータが規定される。
時刻Ｔ７から時刻Ｔ８、時刻Ｔ９、時刻Ｔ１０、時刻Ｔ１１において読み込まれたデータが反映された出力信号が時刻Ｔ１２から継続して出力される。
また、時刻Ｔ１以前の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定され、時刻ｔ１１において第２の絵文字２２の点滅に関するデータが規定される。
時刻ｔ１０、時刻ｔ１１において読み込まれたデータを反映した出力信号が時刻ｔ１２から時刻Ｔ６まで継続して出力される。
ここで、出力は液晶を交流駆動するため、コモン電源電圧６７がハイレベルになる場合はデータ信号をそのまま反映させた出力とし、コモン電源電圧６７がロウレベルになる場合は入力されたデータ信号を反転させた出力となる。
従って、データ側集積回路２６からの出力である第１絵文字出力信号６５は、時刻ｔ１０のデータである「００１１」の反転信号が反映されて、時刻ｔ１２においてハイレベルに近い信号（５．０Ｖ×１２／１５＝４．０Ｖ）が出力され、時刻Ｔ４のデータである「００００」はそのまま反映されて、時刻Ｔ６においてロウレベルが出力され、時刻Ｔ１０のデータである「００１１」の反転信号が反映されて、時刻Ｔ１２においてハイレベルに近い信号（５．０Ｖ×１２／１５＝４．０Ｖ）が出力される。
データ側集積回路２６からの出力である第２絵文字出力信号６６は、時刻ｔ１１のデータである「１１１１」の反転信号が反映されて、時刻ｔ１２においてロウレベルが出力され、時刻Ｔ５のデータである「１１００」はそのまま反映されて、時刻Ｔ６においてハイレベルに近い電位（５．０Ｖ×１２／１５＝４．０Ｖ）の信号が出力され、時刻Ｔ１１のデータである「１１１１」の反転信号が反映されて、時刻Ｔ１２においてロウレベルが出力される。
次に、液晶駆動が実効値に依存することから、絵文字電極２３，２４に印加される電圧と実効値について第６図を用いて説明する。第１絵文字電極印加電圧は実際に第１の絵文字電極２３に印加される電圧と実効値を示す。実線で示されるコモン電源電位波形７０はコモン電圧の電位がＴＦＴ駆動の特性上、−０．５Ｖを基底とした＋４．５Ｖとの間で電位が変化する交流電源であり、時刻ｔ１２において＋４．５Ｖから−０．５Ｖに電位が変化し、時刻Ｔ６において−０．５Ｖから＋４．５Ｖに電位が変化し、時刻Ｔ１２において＋４．５Ｖから−０．５Ｖに電位が変化する。
一点鎖線で示される第１絵文字電位波形７１はＧＮＤ（０Ｖ）を基底とした＋４．０Ｖとの間で電位が変化する交流電源である。第１絵文字電位波形７１は時刻ｔ１２において第５図で示した時刻ｔ１０において読み込まれたデータである「００１１」の反転信号に応じた電位（５．０Ｖ×１２／１５＝４．０Ｖ）になる。すなわち、時刻ｔ１２においてＧＮＤから＋４．０Ｖに電位が変化する。また、時刻Ｔ６にて第５図で示した時刻Ｔ４で読み込まれたデータである「００００」に応じた電位になる。すなわち、時刻Ｔ６にて＋４．０ＶからＧＮＤに電位が変化する。第１絵文字電位波形７１は時刻Ｔ１２にて第５図で示した時刻Ｔ１０で読み込まれたデータである「００１１」の反転信号に応じた電位になる。すなわち、時刻Ｔ１２にてＧＮＤから＋４．０Ｖに電位が変化する。
第５の実効値９３は＋４．０Ｖの第１絵文字電位波形７１と−０．５Ｖのコモン電源電位波形７０の間の電位差によって生じる実効値であり、第６の実効値９４はＧＮＤの第１絵文字電位波形７１と＋４．５Ｖのコモン電源電位波形７０の間の電位差によって生じる実効値である。第５の実効値９３（４．５Ｖｒｍｓ）と第６の実効値９４（４．５Ｖｒｍｓ）による平均実効値４．５Ｖｒｍｓによって、ノーマリ白の液晶表示装置における第１の絵文字２１は黒く表示される。
第２絵文字電極印加電圧は実際に第２の絵文字電極２４に印加される電圧と実効値を示す。一点鎖線で示される第２絵文字電位波形７２はＧＮＤ（０Ｖ）を基底とした＋４．０Ｖとの間で電位が変化する交流信号である。第２絵文字電位波形７２は時刻ｔ１２において第５図で示した時刻ｔ１１において読み込まれたデータである「１１１１」の反転信号に応じた電位になる。すなわち、時刻ｔ１２において＋４．０ＶからＧＮＤに電位が変化する。また、時刻Ｔ６において第５図に示した時刻Ｔ５で読み込まれたデータである「１１００」に応じた電位になる。すなわち、時刻Ｔ６にてＧＮＤから＋４．０Ｖに電位が変化する。第２絵文字電位波形７２は時刻Ｔ１２において第５図で示した時刻Ｔ１１で読み込まれたデータである「１１１１」の反転信号に応じた電位になる。すなわち、時刻Ｔ１２にて＋４．０ＶからＧＮＤに電位が変化する。
第７の実効値９５はＧＮＤの第２絵文字電位波形７２と−０．５Ｖのコモン電源電位波形７０の間の電位差によって生じる実効値であり、第８の実効値９６は＋４．０Ｖの第２絵文字電位波形７２と＋４．５Ｖのコモン電源電位波形７０の間の電位差によって生じる実効値である。第７の実効値９５（０．５Ｖｒｍｓ）と第８の実効値９６（０．５Ｖｒｍｓ）による平均実効値は０．５Ｖｒｍｓとなる。通常の液晶の光学的な主変化は１．５Ｖｒｍｓから２．０Ｖｒｍｓより起こるので、ノーマリ白の液晶表示装置における第２の絵文字２２は白く表示される。
ここで、コモン電源電位波形７０を基準に考えると第５の実効値９３の第１絵文字電位波形７１の電位差は＋４．５Ｖであり、第６の実効値９４の第１絵文字電位波形７１の電位差は−４．５Ｖであるので、平均直流成分は発生しない。また、コモン電源電位波形７０を基準に考えると第７の実効値９５における第２絵文字電位波形７２との電位差は＋０．５Ｖであり、第８の実効値９６における第２絵文字電位波形７２との電位差は−０．５Ｖであるので、平均直流成分は発生しない。すなわち、この液晶材料の劣化や焼き付きといった問題が生じにくくなる。実際には階調調節はとびとびの電位の調節なので、直流成分を完全に生じなくすることは困難であるが大幅に軽減できる。
第２の形態においては電位の高い側を階調調節したが、勿論電位の低い側を調節することは可能であるし、電位の高い側と低い側両方で調節することも可能である。
（第３の形態）
次に、第２の形態で示した駆動を、第１図（ｂ）に示した背景２８を表示できる液晶表示装置１５について説明する。第７図（ａ）は電源が切れている状態を示し、第７図（ｂ）は電源が入っている場合のパターンを示す。
第３の形態では、第１の絵文字電極２３は酸化インジウムスズ（ＩＴＯ）によって形成された長方形パターンである。第１の絵文字電極２３は、コンタクトホール１２５を介してデータ側集積回路２６の２３９番目の出力端子に接続されている。第２の絵文字電極２４はＩＴＯで形成された円形パターンである。第２の絵文字電極２４は、コンタクトホール１２６を介してデータ側集積回路２６の２４０番目の出力端子に接続されている。背景電極２５は第１の絵文字電極２３および第２の絵文字電極２４の周辺に間隙を設けて配置され、コンタクトホール１２７を介してデータ側集積回路２６の２３８番目の出力端子に接続されている。区切り線１０３は第１図に示したように動画表示領域３４と絵文字表示領域３３とを区別するためのものであり、ＴＦＴ素子形成時に配線として用いるクロム（Ｃｒ）金属で形成されている。
液晶表示装置１５はノーマリ白であるので、電源が切れている状態の第７図（ａ）においては区切り線１０３のみが黒く表示（斜線で示す）され、他の絵文字表示領域は白い。一方、電源が入った第７図（ｂ）に示す状態においては第１の絵文字電極２３は白く表示され、第２の絵文字電極２４と背景電極２５は黒く表示（斜線で示す）されている。区切り線１０３は黒表示のままである。このように、絵文字表示領域３３に背景電極２５を設けることにより、動画表示領域３４と絵文字表示領域３３の境界が鮮明となり、動画が見やすくなる。
第７図（ｂ）の状態の場合の動作を、第８図に示すタイミングチャート図面に従って説明する。第８図はデータ側集積回路２６の絵文字点灯を説明するための入出力タイミングを示すタイミングチャートである。ラッチ信号４１は、その立ち上がりにおいてデータ側集積回路２６の出力信号を出力するタイミングを規定するための同期信号である。クロック信号４２は、データ側集積回路２６にデータ信号群を入力するためのタイミングを規定するための同期信号である。
０ビットデータ信号４３はデータ側集積回路２６への最下位のデータ信号であり、１ビットデータ信号４４はデータ側集積回路２６への第２ビット目のデータ信号であり、２ビットデータ信号４５はデータ側集積回路２６への第３ビット目のデータ信号であり、３ビットデータ信号４６はデータ側集積回路２６への最上位のデータ信号である。
第１絵文字出力信号６５は第１の絵文字電極２３を駆動するためにデータ側集積回路２６から出力される信号であり、第２絵文字出力信号６６は第２の絵文字電極２４を駆動するためにデータ側集積回路２６から出力される信号である。背景出力信号６８は、背景電極２５を駆動するためにデータ側集積回路２６から出力される信号である。
時刻Ｔ１において１列目のデータがデータ側集積回路２６に入力される。以下、順次データ信号の立ち上がりに同期して２列目以降のデータがデータ側集積回路２６に入力され、時刻Ｔ２において２３７列目のデータがデータ側集積回路２６に入力される。すなわち、時刻Ｔ１から時刻Ｔ２において動画のデータがデータ側集積回路２６に入力される。時刻Ｔ３において２３８列目のデータがデータ側集積回路２６に入力される。時刻Ｔ４において２３９列目のデータがデータ側集積回路２６に入力され、時刻Ｔ５において２４０列目のデータがデータ側集積回路２６に入力される。すなわち、時刻Ｔ３において背景電極２５の点滅に関するデータが規定され、時刻Ｔ４において第１の絵文字電極２１の点滅に関するデータが規定され、時刻Ｔ５において第２の絵文字電極２２の点滅に関するデータが規定される。時刻Ｔ１から時刻Ｔ２、時刻Ｔ３、時刻Ｔ４、時刻Ｔ５において読み込まれたデータを反映した出力信号が、時刻Ｔ６から時刻Ｔ１２まで継続して出力される。
次の行は、時刻Ｔ７において１列目のデータがデータ側集積回路２６に入力される。以下、順次データ信号の立ち上がりに同期して２列目以降のデータがデータ側集積回路２６に入力され、時刻Ｔ８において２３７列目のデータがデータ側集積回路２６に入力される。すなわち、時刻Ｔ７から時刻Ｔ８において動画表示領域３４のデータがデータ側集積回路２６に入力される。時刻Ｔ９において２３８列目のデータがデータ側集積回路２６に入力される。時刻Ｔ１０において２３９列目のデータがデータ側集積回路２６に入力され、時刻Ｔ１１において２４０列目のデータがデータ側集積回路２６に入力される。すなわち、時刻Ｔ９において背景電極２５の点滅に関するデータが規定され、時刻Ｔ１０において第１の絵文字電極２１の点滅に関するデータが規定され、時刻Ｔ１１において第２の絵文字電極２２の点滅に関するデータが規定される。
時刻Ｔ７から時刻Ｔ８、時刻Ｔ９、時刻Ｔ１０、時刻Ｔ１１において読み込まれたデータを反映した出力信号が時刻Ｔ１２から継続して出力される。
また、時刻Ｔ１以前の時刻ｔ９において２３８列目のデータがデータ側集積回路２６に入力され、時刻ｔ１０において２３９列目のデータがデータ側集積回路２６に入力され、時刻ｔ１１において２４０列目のデータがデータ側集積回路２６に入力される。すなわち、時刻ｔ９において背景電極２５の点滅に関するデータが規定され、時刻ｔ１０において第１の絵文字電極２１の点滅に関するデータが規定され、時刻ｔ１１において第２の絵文字電極２２の点滅に関するデータが規定される。
時刻ｔ９、時刻ｔ１０、時刻ｔ１１において読み込まれたデータを反映した出力信号が時刻ｔ１２から時刻Ｔ６まで継続して出力される。
ここで、出力は液晶を交流駆動するためにコモン電源電圧６７がハイレベルになる場合はデータ信号をそのまま反映させた出力とし、コモン電源電圧６７がロウレベルになる場合は入力されたデータ信号を反転させた出力となる。
従って、データ側集積回路２６からの出力である第１絵文字出力信号６５は、時刻ｔ１０のデータである「１１１１」の反転信号が反映されて、時刻ｔ１２においてロウレベル信号が出力され、時刻Ｔ４のデータである「００１１」はそのまま反映されて、時刻Ｔ６においてハイレベルに近い信号が出力され、時刻Ｔ１０のデータである「１１１１」の反転信号が反映され、時刻Ｔ１２においてロウレベルが出力される。
データ側集積回路２６からの出力である第２絵文字出力信号６６は、時刻ｔ１１のデータである「００１１」の反転信号が反映されて、時刻ｔ１２においてハイレベルに近い信号が出力され、時刻Ｔ５のデータである「００００」が反映されて、時刻Ｔ６においてロウレベルが出力され、時刻Ｔ１１のデータである「００１１」の反転信号が反映されて、時刻Ｔ１２においてハイレベルに近い信号が出力される。
データ側集積回路２６からの出力である背景電極出力信号６８は、時刻ｔ９のデータである「００１１」の反転信号が反映されて、時刻ｔ１２においてハイレベルに近い信号が出力され、時刻Ｔ３のデータである「００００」が反映されて、時刻Ｔ６においてロウレベルが出力され、時刻Ｔ９のデータである「００１１」の反転信号が反映されて時刻Ｔ１２においてハイレベルに近い信号が出力される。
次に、液晶駆動が実効値に依存することから、絵文字領域に印加される電圧と実効値について第９図を用いて説明する。第１絵文字電極印加電圧は実際に第１の絵文字電極２３に印加される電圧と実効値を示す。実線で示されるコモン電源電位波形７０はコモン電圧の電位がＴＦＴ駆動の特性上、−０．５Ｖを基底とした＋４．５Ｖとの間で電位が変化する交流電源であり、時刻ｔ１２において＋４．５Ｖから−０．５Ｖに電位が変化し、時刻Ｔ６において−０．５Ｖから＋４．５Ｖに電位が変化し、時刻Ｔ１２において＋４．５Ｖから−０．５Ｖに電位が変化する。
一点鎖線で示される第１絵文字電位波形７１は、ＧＮＤ（０Ｖ）を基底とした＋４．０Ｖとの間で電位が変化する交流電源である。第１絵文字電位波形７１は時刻ｔ１２において第８図で示した時刻ｔ１０で読み込まれたデータである「１１１１」の反転信号に応じた電位（０Ｖ）になる。すなわち、時刻ｔ１２においてＧＮＤに電位が変化する。また、時刻Ｔ６において第８図で示した時刻Ｔ４で読み込まれたデータである「００１１」に応じた電位（５．０Ｖ×１２／１５＝４．０Ｖ）になる。すなわち、時刻Ｔ６においてＧＮＤから＋４．０Ｖに電位が変化する。第１絵文字電位波形７１は時刻Ｔ１２において、第８図で示した時刻Ｔ１０で読み込まれたデータである「１１１１」の反転信号に応じた電位（０Ｖ）になる。すなわち、時刻Ｔ１２にて＋４．０ＶからＧＮＤに電位が変化する。
第９の実効値１１３はＧＮＤの第１絵文字電位波形７１と−０．５Ｖのコモン電源電位波形７０の間の電位差によって生じる実効値であり、第１０の実効値１１４は＋４．０Ｖの第１絵文字電位波形７１と＋４．５Ｖのコモン電源電位波形７０の間の電位差によって生じる実効値である。第９の実効値１１３（０．５Ｖｒｍｓ）と、第１０の実効値１１４（０．５Ｖｒｍｓ）による平均実効値は０．５Ｖｒｍｓになる。通常の液晶の光学的な変化は、１．５Ｖｒｍｓから２．０Ｖｒｍｓより起こることから、ノーマリ白の液晶表示装置における第１の絵文字２１は白く表示される。
第２絵文字電極印加電圧は実際に第２の絵文字電極２４に印加される電圧と実効値を示す。実線で示されるコモン電源電位波形７０はコモン電圧の電位がＴＦＴ駆動の特性上、−０．５Ｖを基底とした＋４．５Ｖとの間で電位が変化する交流電源であり、時刻ｔ１２において＋４．５Ｖから−０．５Ｖに電位が変化し、時刻Ｔ６において−０．５Ｖから＋４．５Ｖに電位が変化し、時刻Ｔ１２において＋４．５Ｖから−０．５Ｖに電位が変化する。
一点鎖線で示される第２絵文字電位波形７２は、ＧＮＤ（０Ｖ）を基底とした＋４．０Ｖとの間で電位が変化する交流信号である。第２絵文字電位波形７２は、時刻ｔ１２において第８図で示した時刻ｔ１１で読み込まれたデータである、「００１１」の反転信号に対応した電位（５．０Ｖ×１２／１５＝４．０Ｖ）になる。すなわち、時刻ｔ１２において電位が＋４．０Ｖに変化する。また、時刻Ｔ６において第８図で示した時刻Ｔ５で読み込まれたデータである「００００」に応じた電位になる。すなわち、時刻Ｔ６において、電位が＋４．０ＶからＧＮＤに変化する。第２絵文字電位波形７２は時刻Ｔ１２において、第８図で示した時刻Ｔ１１で読み込まれたデータである、「００１１」の反転信号に応じた電位（５．０Ｖ×１２／１５＝４．０Ｖ）になる。すなわち、時刻Ｔ１２においてＧＮＤから＋４．０Ｖに電位が変化する。
第１１の実効値１１５は＋４．０Ｖの第２絵文字電位波形７２と、−０．５Ｖのコモン電源電位波形７０の間の電位差によって生じる実効値であり、第１２の実効値１１６はＧＮＤの第２絵文字電位波形７２と、＋４．５Ｖのコモン電源電位波形７０の間の電位差によって生じる実効値である。第１１の実効値１１５（４．５Ｖｒｍｓ）と第１２の実効値１１６（４．５Ｖｒｍｓ）による平均実効値は４．５Ｖｒｍｓとなる。ノーマリ白の液晶表示装置における第２の絵文字２２は、通常の液晶の光学的な変化が１．５Ｖｒｍｓから２．０Ｖｒｍｓより起こることから、黒く表示される。
背景電極印加電圧は、実際に背景電極２５に印加される電圧と実効値を示す。
実線で示されるコモン電源電位波形７０は、コモン電圧の電位がＴＦＴ駆動の特性上、−０．５Ｖを基底とした＋４．５Ｖとの間で電位が変化する交流電源であり、時刻ｔ１２において＋４．５Ｖから−０．５Ｖに電位が変化し、時刻Ｔ６において−０．５Ｖから＋４．５Ｖに電位が変化し、時刻Ｔ１２において＋４．５Ｖから−０．５Ｖに電位が変化する。
一点鎖線で示される背景電極電位波形１１２は、ＧＮＤ（０Ｖ）を基底とした＋４．０Ｖとの間で電位が変化する交流信号である。背景電極電位波形１１２は時刻ｔ１２において、第８図で示した時刻ｔ９で読み込まれたデータである、「００１１」の反転信号に対応した電位（５．０Ｖ×１２／１５＝４．０Ｖ）になる。すなわち、時刻ｔ１２において＋４．０Ｖに電位が変化する。また、時刻Ｔ６において、第８図で示した時刻Ｔ３で読み込まれたデータである「００００」に応じた電位になる。すなわち、時刻Ｔ６において＋４．０ＶからＧＮＤに電位が変化する。背景電極電位波形１１２は時刻Ｔ１２において、第８図で示した時刻Ｔ９で読み込まれたデータである、「００１１」に応じた電位（５．０Ｖ×１２／１５＝４．０Ｖ）になる。すなわち、時刻Ｔ１２においてＧＮＤから＋４．０Ｖに電位が変化する。
第１３の実効値１１７は＋４．０Ｖの背景電極電位波形１１２と−０．５Ｖのコモン電源電位波形７０の間の電位差によって生じる実効値であり、第１４の実効値１１８はＧＮＤの背景電極電位波形１１２と＋４．５Ｖのコモン電源電位波形７０の間の電位差によって生じる実効値である。第１３の実効値１１７（４．５Ｖｒｍｓ）と第１４の実効値１１８（４．５Ｖｒｍｓ）による平均実効値は４．５Ｖｒｍｓとなる。ノーマリ白の液晶表示装置における背景電極２５は、通常の液晶の光学的な変化が１．５Ｖｒｍｓから２．０Ｖｒｍｓより起こることから、黒く表示される。
ここで、背景電極２５は黒、第１の絵文字電極２３は白、第２の絵文字電極２３は黒となるので、絵文字表示領域３３においては第１の絵文字２１だけ白く点灯して見える。
ここまでは、実施の形態１として、絵文字表示領域３３では、第１の絵文字電極２３とデータ側集積回路２６とが信号ライン１９により直結されており、また第２の絵文字電極２４とデータ側集積回路２６とが別の信号ライン２０により直結されている構成について説明した。次に、実施の形態２として６つの形態を挙げ、絵文字表示領域３３においても動画表示領域３４と同様に、第１の絵文字電極２３および第２の絵文字電極２４にＴＦＴ（薄膜トランジスタ）を接続し、このＴＦＴのドレイン端子の電位とコモン電極３２の電位との差により絵文字を表示する構成について以下に説明する。なお、ソース端子とドレイン端子のそれぞれに接続する箇所を入れ替えた構成としても、同様の効果を得ることができる。
（第４の形態）
第１０図は、第１図（ａ），（ｂ）に示した本発明の一実施例の携帯機器１０に内蔵された実施の形態２にかかる液晶表示装置１０１５の構成を説明するものである。第４の形態の液晶表示装置１０１５は、絵文字表示領域３３において、第１の絵文字を表示するための第１の絵文字電極２３を第１の絵文字用薄膜トランジスタ（ＴＦＴ）５１により駆動し、また第２の絵文字を表示するための第２の絵文字電極２４を第２の絵文字用薄膜トランジスタ（ＴＦＴ）５２により駆動する構成となっている。液晶表示装置１０１５のその他の構成は、上述した第１〜第３の形態における液晶表示装置１５（第２図参照）と同じであるので、第２図に示す液晶表示装置１５と同じ構成については同一の符号を付して重複する説明を省略する。
第１の絵文字用ＴＦＴ５１は、素子基板８に設けられている。第１の絵文字用ＴＦＴ５１のソース端子は、信号ライン１９に接続されている。この信号ライン１９は、データ側集積回路２６に設けられた動画用のデータライン６以外のラインであり、データ側集積回路２６に追加して設けられたクロム（Ｃｒ）金属の電極に接続されている。第１の絵文字用ＴＦＴ５１のドレイン端子は、第１の絵文字電極２３に接続されている。第１の絵文字用ＴＦＴ５１のゲート端子は、走査側集積回路２７に接続された１２０本の走査ライン７のうちのいずれか１本、特に限定しないが、たとえば第１０図に示す例では１行目の走査ライン７に、動画表示領域３４の１行目に配列された２３７個のＴＦＴ２９のゲート端子とともに接続されている。
第２の絵文字用ＴＦＴ５２は、素子基板８に設けられている。第２の絵文字用ＴＦＴ５２のソース端子は、信号ライン２０に接続されている。この信号ライン２０は、データ側集積回路２６に設けられた動画用のデータライン６以外のラインであり、データ側集積回路２６にさらに追加して設けられたクロム（Ｃｒ）金属の電極に接続されている。第４の形態では、第１の絵文字用ＴＦＴ５１と第２の絵文字用ＴＦＴ５２はデータ側集積回路２６の別々の電極に接続されている。第２の絵文字用ＴＦＴ５２のドレイン端子は、第２の絵文字電極２４に接続されている。第２の絵文字用ＴＦＴ５２のゲート端子は、第１の絵文字用ＴＦＴ５１のゲート端子と同じ走査ライン７、すなわち第１０図に示す例では１行目の走査ライン７に接続されている。
したがって、ＦＰＣ３１は、データ側集積回路２６と走査側集積回路２７からの出力を動画表示領域３４のＴＦＴ２９に入力する役割だけでなく、絵文字表示領域３３の第１の絵文字用ＴＦＴ５１および第２の絵文字用ＴＦＴ５２に入力する役割も果す。そして、第１の絵文字２１の画素は、第１の絵文字用ＴＦＴ５１、第１の絵文字用ＴＦＴ５１に接続する第１の絵文字電極２３、第１の絵文字電極２３に対向するコモン電極３２、および、第１の絵文字電極２３とコモン電極３２に挟まれた液晶３６とから構成される。また、第２の絵文字２２の画素は、第２の絵文字用ＴＦＴ５２、第２の絵文字用ＴＦＴ５２に接続する第２の絵文字電極２４、第２の絵文字電極２４に対向するコモン電極３２、および、第２の絵文字電極２４とコモン電極３２に挟まれた液晶３６とから構成される。これら絵文字の画素は、データ側集積回路２６の出力をデータ信号とし、走査側集積回路２７の出力を走査信号として駆動される。
なお、絵文字表示領域３３に、背景２８（第１図（ｂ）参照）を表示するための背景電極２５を設ける場合、背景電極２５を信号ライン３０に接続し、この信号ライン３０を、データ側集積回路２６にさらに追加して設けられたクロム（Ｃｒ）金属の電極に接続してもよい。あるいは、第１の絵文字電極２３と同様に、背景電極２５をＴＦＴを介して、データ側集積回路２６にさらに追加して設けられたクロム（Ｃｒ）金属の電極に接続してもよい。この場合、ＴＦＴのソース端子を、信号ライン３０を介してデータ側集積回路２６に接続し、そのドレイン端子を背景電極２５に接続し、そのゲート端子を第１の絵文字用ＴＦＴ５１のゲート端子と同じ走査ライン７、または異なる走査ライン７に接続すればよい。
次に、上述した構成の液晶表示装置１０１５の動作を第１１図に示すタイミングチャートに従って説明する。第４の形態の液晶表示装置１０１５は、絵文字表示領域３３に背景電極が設けられていない形態である。第１１図はデータ側集積回路２６の絵文字点灯を説明するための入出力タイミングを示すタイミングチャートである。
ラッチ信号４１は、その立ち上がりにおいてデータ側集積回路２６の出力信号を出力するタイミングを規定するための同期信号である。クロック信号４２は、データ側集積回路２６にデータ信号群を入力するためのタイミングを規定するための同期信号である。０ビットデータ信号４３はデータ側集積回路２６への最下位のデータ信号、１ビットデータ信号４４はデータ側集積回路２６への第２ビット目のデータ信号、２ビットデータ信号４５はデータ側集積回路２６への第３ビット目のデータ信号、および３ビットデータ信号４６はデータ側集積回路２６への最上位のデータ信号である。第１絵文字出力信号６５、第２絵文字出力信号６６およびコモン電源電圧６７については図示を省略した。
第１１図に示すように、１行目を表示するためのデータは、１行目の走査期間の直前にデータ側集積回路２６に入力される。この１行目を表示するためのデータが入力される期間の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定され、時刻ｔ１１において第２の絵文字２２の点滅に関するデータが規定される。特に限定しないが、第１１図に示す例では、時刻ｔ１０において入力された２３９列目のデータは「００００」であり、時刻ｔ１１において入力された２４０列目のデータは「１１１１」である。
時刻ｔ１１までに読み込まれた１行目を表示するためのデータを反映した出力信号は、１行目の走査期間である時刻ｔ１２から時刻Ｔ６まで継続して出力される。時刻ｔ１２から時刻Ｔ６までの期間では、１行目の走査ライン７に接続された動画表示領域３４の２３７個のＴＦＴと第１の絵文字用ＴＦＴ５１および第２の絵文字用ＴＦＴ５２がオン状態となる。したがって、時刻ｔ１０、時刻ｔ１１において読み込まれたデータを反映した出力信号がそれぞれ第１の絵文字電極２３、第２の絵文字電極２４に供給され、第１の絵文字２１および第２の絵文字２２の点滅が制御される。
時刻ｔ１２から時刻Ｔ６までの期間では、１行目を表示するためのデータを反映した出力信号がデータ側集積回路２６から出力されると同時に、２行目を表示するためのデータがデータ側集積回路２６に入力される。時刻Ｔ１において２行目の１列目のデータがデータ側集積回路２６に入力される。以下、順次データ信号の立ち上がりに同期して２行目の２列目以降のデータがデータ側集積回路２６に入力され、時刻Ｔ２において２行目の２３７列目のデータがデータ側集積回路２６に入力される。すなわち、時刻Ｔ１から時刻Ｔ２において動画表示領域３４の２行目を表示するためのデータがデータ側集積回路２６に入力される。時刻Ｔ３、時刻Ｔ４および時刻Ｔ５においてそれぞれ２３８列目、２３９列目および２４０列目のデータがデータ側集積回路２６に入力される。
時刻Ｔ１から時刻Ｔ２、時刻Ｔ３、時刻Ｔ４、時刻Ｔ５において読み込まれた２行目を表示するためのデータを反映した出力信号は、２行目の走査期間である時刻Ｔ６から時刻Ｔ１２まで継続して出力される。ただし、時刻Ｔ６から時刻Ｔ１２までの期間では、２行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、第１の絵文字電極２３と第２の絵文字電極２４には、表示用のデータが供給されない。つまり、時刻Ｔ４、時刻Ｔ５において読み込まれた２３９列目のデータと２４０列目のデータは、第１の絵文字２１および第２の絵文字２２の表示制御に寄与しない。これは、３行目以降を表示するためのデータについても同様である。よって、１行目を表示するためのデータとともに読み込まれる２３９列目のデータと２４０列目のデータを除いて、２行目以降を表示するためのデータとともに読み込まれる２３９列目のデータと２４０列目のデータ、すなわち１行目の走査期間以降の走査期間に読み込まれる２３９列目のデータと２４０列目のデータを不定としてもよい。
時刻Ｔ６から時刻Ｔ１２までの期間では、２行目を表示するためのデータを反映した出力信号がデータ側集積回路２６から出力されると同時に、３行目を表示するためのデータがデータ側集積回路２６に入力される。時刻Ｔ７において３行目の１列目のデータがデータ側集積回路２６に入力される。以下、順次データ信号の立ち上がりに同期して３行目の２列目以降のデータがデータ側集積回路２６に入力され、時刻Ｔ８において３行目の２３７列目のデータがデータ側集積回路２６に入力される。すなわち、時刻Ｔ７から時刻Ｔ８において動画表示領域３４の３行目を表示するためのデータがデータ側集積回路２６に入力される。時刻Ｔ９、時刻Ｔ１０および時刻Ｔ１１においてそれぞれ２３８列目、２３９列目および２４０列目のデータ（不定であってもよい）がデータ側集積回路２６に入力される。４行目以降についても同様である。
ここで、出力は液晶を交流駆動するため、コモン電源電圧６７がハイレベルになる場合はデータ信号をそのまま反映させた出力とし、コモン電源電圧６７がロウレベルになる場合は入力されたデータ信号を反転させた出力となる。
（第５の形態）
第１２図は、第１図（ａ），（ｂ）に示した本発明の一実施例の携帯機器１０に内蔵された実施の形態２にかかる液晶表示装置１１１５の構成を説明するものである。第５の形態の液晶表示装置１１１５は、絵文字表示領域３３において、第１の絵文字を表示するための第１の絵文字電極２３を第１の絵文字用ＴＦＴ５１により駆動し、また第２の絵文字を表示するための第２の絵文字電極２４を第２の絵文字用ＴＦＴ５２により駆動する構成であって、第１の絵文字用ＴＦＴ５１と第２の絵文字用ＴＦＴ５２を異なるタイミングでオン状態とする構成となっている。すなわち、上述した第４の形態の構成において、第１の絵文字用ＴＦＴ５１のゲート端子と第２の絵文字用ＴＦＴ５２のゲート端子を、走査側集積回路２７の異なる電極に接続したものである。液晶表示装置１１１５のその他の構成は、上述した第１〜第３の形態における液晶表示装置１５（第２図参照）と同じであるので、第２図に示す液晶表示装置１５と同じ構成については同一の符号を付して重複する説明を省略する。
以下、第４の形態と異なる構成についてのみ説明する。第１の絵文字用ＴＦＴ５１のゲート端子は、走査側集積回路２７に接続された１２０本の走査ライン７のうちのいずれか１本、特に限定しないが、たとえば第１２図に示す例では１行目の走査ライン７に、動画表示領域３４の１行目に配列された２３７個のＴＦＴ２９のゲート端子とともに接続されている。第２の絵文字用ＴＦＴ５２のゲート端子は、第１の絵文字用ＴＦＴ５１のゲート端子が接続された走査ライン７と異なる走査ライン７、たとえばＬ（本実施の形態では、Ｌは２〜１２０の整数）行目の走査ライン７に、動画表示領域３４のＬ行目に配列された２３７個のＴＦＴ２９のゲート端子とともに接続されている。
次に、上述した構成の液晶表示装置１１１５の動作を第１３図に示すタイミングチャートに従って説明する。第５の形態の液晶表示装置１１１５は、絵文字表示領域３３に背景電極が設けられていない形態である。第１３図はデータ側集積回路２６の絵文字点灯を説明するための入出力タイミングを示すタイミングチャートである。
第１３図に示すように、１行目を表示するためのデータは、１行目の走査期間の直前にデータ側集積回路２６に入力される。この１行目を表示するためのデータが入力される期間の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定される。特に限定しないが、第１３図に示す例では、時刻ｔ１０において入力された２３９列目のデータは「００００」である。
時刻ｔ１１までに読み込まれた１行目を表示するためのデータを反映した出力信号は、１行目の走査期間である時刻ｔ１２から時刻Ｔ６まで継続して出力される。時刻ｔ１２から時刻Ｔ６までの期間では、１行目の走査ライン７に接続された動画表示領域３４の２３７個のＴＦＴと第１の絵文字用ＴＦＴ５１がオン状態となる。したがって、時刻ｔ１０において読み込まれたデータを反映した出力信号が第１の絵文字電極２３に供給され、第１の絵文字２１の点滅が制御される。一方、時刻ｔ１２から時刻Ｔ６までの期間では、第２の絵文字用ＴＦＴ５２はオフ状態であるので、第２の絵文字電極２４には表示用のデータが供給されない。つまり、時刻ｔ１１において読み込まれた２４０列目のデータは、第２の絵文字２２の表示制御に寄与しない。したがって、１行目を表示するためのデータとともに読み込まれる２４０列目のデータを不定としてもよい。
時刻ｔ１２から時刻Ｔ６までの期間では、１行目を表示するためのデータを反映した出力信号がデータ側集積回路２６から出力されると同時に、２行目を表示するためのデータがデータ側集積回路２６に入力される。時刻Ｔ１において２行目の１列目のデータがデータ側集積回路２６に入力される。以下、順次データ信号の立ち上がりに同期して２行目の２列目以降のデータがデータ側集積回路２６に入力され、時刻Ｔ２（第１３図では省略されている）において２行目の２３７列目のデータがデータ側集積回路２６に入力される。すなわち、時刻Ｔ１から時刻Ｔ２において動画表示領域３４の２行目を表示するためのデータがデータ側集積回路２６に入力される。時刻Ｔ３、時刻Ｔ４および時刻Ｔ５においてそれぞれ２３８列目、２３９列目および２４０列目のデータがデータ側集積回路２６に入力される。
１行目の走査期間の時刻Ｔ１から時刻Ｔ２、時刻Ｔ３、時刻Ｔ４、時刻Ｔ５において読み込まれた２行目を表示するためのデータを反映した出力信号は、２行目の走査期間（第１３図では１〜［Ｌ−２］行目走査期間にまとめられている）の時刻ｔ１２から時刻Ｔ６まで継続して出力される。ただし、２行目の走査期間での時刻ｔ１２から時刻Ｔ６までの期間では、２行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、２行目の走査期間では第１の絵文字電極２３と第２の絵文字電極２４には、表示用のデータが供給されない。つまり、１行目の走査期間の時刻Ｔ４、時刻Ｔ５において読み込まれた２３９列目のデータと２４０列目のデータは、第１の絵文字２１および第２の絵文字２２の表示制御に寄与しない。これは、３行目以降［Ｌ−１］行目までを表示するためのデータについても同様である。よって、２行目以降［Ｌ−１］行目までを表示するためのデータとともに読み込まれる２３９列目のデータと２４０列目のデータ、すなわち１行目の走査期間から［Ｌ−２］行目の走査期間までの間に読み込まれる２３９列目のデータと２４０列目のデータを不定としてもよい。
３行目の走査期間から［Ｌ−２］行目の走査期間までは、２行目の走査期間の時刻ｔ１２から時刻Ｔ６までと同じである。［Ｌ−２］行目の走査期間の時刻Ｔ１から時刻Ｔ５において読み込まれた［Ｌ−１］行目を表示するためのデータを反映した出力信号は、［Ｌ−１］行目の走査期間の時刻Ｔ６から時刻Ｔ１２まで継続して出力される。
時刻Ｔ６から時刻Ｔ１２までの期間では、［Ｌ−１］行目を表示するためのデータを反映した出力信号がデータ側集積回路２６から出力されると同時に、Ｌ行目を表示するためのデータがデータ側集積回路２６に入力される。時刻Ｔ７においてＬ行目の１列目のデータがデータ側集積回路２６に入力される。以下、順次データ信号の立ち上がりに同期してＬ行目の２列目以降のデータがデータ側集積回路２６に入力され、時刻Ｔ８（第１３図では省略されている）においてＬ行目の２３７列目のデータがデータ側集積回路２６に入力される。すなわち、時刻Ｔ７から時刻Ｔ８において動画表示領域３４のＬ行目を表示するためのデータがデータ側集積回路２６に入力される。時刻Ｔ９、時刻Ｔ１０および時刻Ｔ１１においてそれぞれ２３８列目、２３９列目および２４０列目のデータがデータ側集積回路２６に入力される。時刻Ｔ１１において入力されたデータにより、第２の絵文字２２の点滅に関するデータが規定される。特に限定しないが、第１３図に示す例では、時刻Ｔ１１において入力された２４０列目のデータは「１１１１」である。
時刻Ｔ７から時刻Ｔ１１において読み込まれたＬ行目を表示するためのデータを反映した出力信号は、Ｌ行目の走査期間である時刻Ｔ１２から時刻Ｔ１８まで継続して出力される。時刻Ｔ１２から時刻Ｔ１８までの期間では、Ｌ行目の走査ライン７に接続された動画表示領域３４の２３７個のＴＦＴと第２の絵文字用ＴＦＴ５２がオン状態となる。したがって、［Ｌ−１］行目の走査期間の時刻Ｔ１１において読み込まれたデータを反映した出力信号が第２の絵文字電極２４に供給され、第２の絵文字２２の点滅が制御される。一方、時刻Ｔ１２から時刻Ｔ１８までの期間では、第１の絵文字用ＴＦＴ５１はオフ状態であるので、第１の絵文字電極２３には表示用のデータが供給されない。つまり、［Ｌ−１］行目の走査期間の時刻Ｔ１０において読み込まれた２３９列目のデータは、第１の絵文字２１の表示制御に寄与しない。したがって、［Ｌ−１］行目の走査期間においてＬ行目を表示するためのデータとともに読み込まれる２３９列目のデータを不定としてもよい。
Ｌ行目の走査期間以降は、２行目の走査期間の時刻ｔ１２から時刻Ｔ６までと同じである。したがって、Ｌ行目の走査期間以降に読み込まれる２３９列目のデータと２４０列目のデータを不定としてもよい。
つまり、２３９列目のデータおよび２４０列目のデータについてまとめると、２３９列目のデータについては、動画表示領域３４の１行目を表示するためのデータ、すなわち１行目の走査期間の直前に読み込まれるデータを除いて、不定としてもよい。また、２４０列目のデータについては、動画表示領域３４のＬ行目を表示するためのデータ、すなわち［Ｌ−１］行目の走査期間に読み込まれるデータを除いて、不定としてもよい。
（第６の形態）
第１４図は、第１図（ａ），（ｂ）に示した本発明の一実施例の携帯機器１０に内蔵された実施の形態２にかかる液晶表示装置１２１５の構成を説明するものである。第６の形態の液晶表示装置１２１５は、絵文字表示領域３３において、第１の絵文字を表示するための第１の絵文字電極２３を第１の絵文字用ＴＦＴ５１とこれに並列に接続した第３の絵文字用ＴＦＴ５３により駆動し、また第２の絵文字を表示するための第２の絵文字電極２４を第２の絵文字用ＴＦＴ５２とこれに並列に接続した第４の絵文字用ＴＦＴ５４により駆動する構成であって、第１の絵文字用ＴＦＴ５１および第３の絵文字用ＴＦＴ５３と、第２の絵文字用ＴＦＴ５２および第４の絵文字用ＴＦＴ５４とを異なるタイミングでオン状態とする構成となっている。すなわち、上述した第５の形態の構成において、第１の絵文字電極２３および第２の絵文字電極２４にそれぞれＴＦＴを２個ずつ接続したものである。液晶表示装置１２１５のその他の構成は、上述した第１〜第３の形態における液晶表示装置１５（第２図参照）と同じであるので、第２図に示す液晶表示装置１５と同じ構成については同一の符号を付して重複する説明を省略する。
以下、第５の形態と異なる構成についてのみ説明する。第３の絵文字用ＴＦＴ５３および第４の絵文字用ＴＦＴ５４は、素子基板８に設けられている。第３の絵文字用ＴＦＴ５３のソース端子は、第１の絵文字用ＴＦＴ５１のソース端子が接続された信号ライン１９に接続されている。第３の絵文字用ＴＦＴ５３のドレイン端子は、第１の絵文字電極２３に接続されている。第３の絵文字用ＴＦＴ５３のゲート端子は、第１の絵文字用ＴＦＴ５１のゲート端子が接続された走査ライン７、たとえば１行目の走査ラインに接続されている。
第４の絵文字用ＴＦＴ５４のソース端子は、第２の絵文字用ＴＦＴ５２のソース端子が接続された信号ライン２０に接続されている。第４の絵文字用ＴＦＴ５４のドレイン端子は、第２の絵文字電極２４に接続されている。第４の絵文字用ＴＦＴ５４のゲート端子は、第３の絵文字用ＴＦＴ５３のゲート端子が接続された走査ライン７、たとえばＬ行目の走査ラインに接続されている。
上述した構成の液晶表示装置１２１５において、絵文字表示領域３３に背景電極が設けられていない形態とした場合のデータ側集積回路２６における絵文字点灯データの入出力タイミングについては、第５の形態と同じであるので、説明を省略する。
（第７の形態）
第１５図は、第１図（ａ），（ｂ）に示した本発明の一実施例の携帯機器１０に内蔵された実施の形態２にかかる液晶表示装置１３１５の構成を説明するものである。第７の形態の液晶表示装置１３１５は、絵文字表示領域３３において、第１の絵文字を表示するための第１の絵文字電極２３を第１の絵文字用ＴＦＴ５１と第３の絵文字用ＴＦＴ５３により駆動し、また第２の絵文字を表示するための第２の絵文字電極２４を第２の絵文字用ＴＦＴ５２と第４の絵文字用ＴＦＴ５４により駆動する構成であって、第１の絵文字用ＴＦＴ５１と第３の絵文字用ＴＦＴ５３とを異なるタイミングでオン状態とし、また第２の絵文字用ＴＦＴ５２と第４の絵文字用ＴＦＴ５４とを異なるタイミングでオン状態とする構成となっている。すなわち、上述した第６の形態の構成において、第１の絵文字用ＴＦＴ５１のゲート端子と第３の絵文字用ＴＦＴ５３のゲート端子を走査側集積回路２７の異なる電極に接続し、また第２の絵文字用ＴＦＴ５２のゲート端子と第４の絵文字用ＴＦＴ５４のゲート端子を走査側集積回路２７の異なる電極に接続したものである。液晶表示装置１３１５のその他の構成は、上述した第１〜第３の形態における液晶表示装置１５（第２図参照）と同じであるので、第２図に示す液晶表示装置１５と同じ構成については同一の符号を付して重複する説明を省略する。
以下、第６の形態と異なる構成についてのみ説明する。第３の絵文字用ＴＦＴ５３のソース端子は、第１の絵文字用ＴＦＴ５１のソース端子が接続された信号ライン１９に接続されている。第３の絵文字用ＴＦＴ５３のドレイン端子は、第１の絵文字電極２３に接続されている。第３の絵文字用ＴＦＴ５３のゲート端子は、第１の絵文字用ＴＦＴ５１のゲート端子が接続された１行目の走査ライン７とは異なる走査ライン７、たとえばＫ（本実施の形態では、Ｋは２〜１２０の整数）行目の走査ラインに接続されている。Ｋ行目の走査ライン７には、動画表示領域３４のＫ行目に配列された２３７個のＴＦＴ２９のゲート端子も接続されている。
第４の絵文字用ＴＦＴ５４のソース端子は、第２の絵文字用ＴＦＴ５２のソース端子が接続された信号ライン２０に接続されている。第４の絵文字用ＴＦＴ５４のドレイン端子は、第２の絵文字電極２４に接続されている。第４の絵文字用ＴＦＴ５４のゲート端子は、第３の絵文字用ＴＦＴ５３のゲート端子が接続されたＬ行目の走査ライン７とは異なる走査ライン７、たとえばＭ（本実施の形態では、Ｍは２〜１２０の整数）行目の走査ラインに接続されている。Ｍ行目の走査ライン７には、動画表示領域３４のＭ行目に配列された２３７個のＴＦＴ２９のゲート端子も接続されている。
次に、上述した構成の液晶表示装置１３１５の動作を第１６図および第１７図に示すタイミングチャートに従って説明する。第７の形態の液晶表示装置１３１５は、絵文字表示領域３３に背景電極が設けられていない形態である。第１６図および第１７図はデータ側集積回路２６の絵文字点灯を説明するための入出力タイミングを示すタイミングチャートである。
第１６図に示すように、１行目を表示するためのデータは、１行目の走査期間の直前にデータ側集積回路２６に入力される。この１行目を表示するためのデータが入力される期間の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定される。特に限定しないが、第１６図に示す例では、時刻ｔ１０において入力された２３９列目のデータは「００００」である。
時刻ｔ１１までに読み込まれた１行目を表示するためのデータを反映した出力信号は、１行目の走査期間である時刻ｔ１２から時刻Ｔ６まで継続して出力される。時刻ｔ１２から時刻Ｔ６までの期間では、１行目の走査ライン７に接続された動画表示領域３４の２３７個のＴＦＴと第１の絵文字用ＴＦＴ５１がオン状態となる。したがって、時刻ｔ１０において読み込まれたデータを反映した出力信号が第１の絵文字電極２３に供給され、第１の絵文字２１の点滅が制御される。一方、時刻ｔ１２から時刻Ｔ６までの期間では、第２の絵文字用ＴＦＴ５２はオフ状態であるので、第２の絵文字電極２４には表示用のデータが供給されない。つまり、時刻ｔ１１において読み込まれた２４０列目のデータは、第２の絵文字２２の表示制御に寄与しない。したがって、１行目を表示するためのデータとともに読み込まれる２４０列目のデータを不定としてもよい。
時刻ｔ１２から時刻Ｔ６までの期間では、１行目を表示するためのデータを反映した出力信号がデータ側集積回路２６から出力されると同時に、２行目を表示するためのデータがデータ側集積回路２６に入力される。時刻Ｔ１において２行目の１列目のデータがデータ側集積回路２６に入力される。以下、順次データ信号の立ち上がりに同期して２行目の２列目以降のデータがデータ側集積回路２６に入力され、時刻Ｔ２（第１６図では省略されている）において２行目の２３７列目のデータがデータ側集積回路２６に入力される。すなわち、時刻Ｔ１から時刻Ｔ２において動画表示領域３４の２行目を表示するためのデータがデータ側集積回路２６に入力される。時刻Ｔ３、時刻Ｔ４および時刻Ｔ５においてそれぞれ２３８列目、２３９列目および２４０列目のデータがデータ側集積回路２６に入力される。
１行目の走査期間の時刻Ｔ１から時刻Ｔ２、時刻Ｔ３、時刻Ｔ４、時刻Ｔ５において読み込まれた２行目を表示するためのデータを反映した出力信号は、２行目の走査期間（第１６図では１〜［Ｋ−２］行目の走査期間にまとめられている）の時刻ｔ１２から時刻Ｔ６まで継続して出力される。ただし、２行目の走査期間での時刻ｔ１２から時刻Ｔ６までの期間では、２行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、２行目の走査期間では第１の絵文字電極２３と第２の絵文字電極２４には、表示用のデータが供給されない。つまり、１行目の走査期間の時刻Ｔ４、時刻Ｔ５において読み込まれた２３９列目のデータと２４０列目のデータは、第１の絵文字２１および第２の絵文字２２の表示制御に寄与しない。これは、３行目以降［Ｋ−１］行目までを表示するためのデータについても同様である。よって、２行目以降［Ｋ−１］行目までを表示するためのデータとともに読み込まれる２３９列目のデータと２４０列目のデータ、すなわち１行目の走査期間から［Ｋ−２］行目の走査期間までの間に読み込まれる２３９列目のデータと２４０列目のデータを不定としてもよい。
３行目の走査期間から［Ｋ−２］行目の走査期間までは、２行目の走査期間の時刻ｔ１２から時刻Ｔ６までと同じである。［Ｋ−２］行目の走査期間の時刻Ｔ１から時刻Ｔ５において読み込まれた［Ｋ−１］行目を表示するためのデータを反映した出力信号は、［Ｋ−１］行目の走査期間の時刻Ｔ６から時刻Ｔ１２まで継続して出力される。
時刻Ｔ６から時刻Ｔ１２までの期間では、［Ｋ−１］行目を表示するためのデータを反映した出力信号がデータ側集積回路２６から出力されると同時に、Ｋ行目を表示するためのデータがデータ側集積回路２６に入力される。時刻Ｔ７においてＫ行目の１列目のデータがデータ側集積回路２６に入力される。以下、順次データ信号の立ち上がりに同期してＫ行目の２列目以降のデータがデータ側集積回路２６に入力され、時刻Ｔ８（第１６図では省略されている）においてＫ行目の２３７列目のデータがデータ側集積回路２６に入力される。すなわち、時刻Ｔ７から時刻Ｔ８において動画表示領域３４のＫ行目を表示するためのデータがデータ側集積回路２６に入力される。時刻Ｔ９、時刻Ｔ１０および時刻Ｔ１１においてそれぞれ２３８列目、２３９列目および２４０列目のデータがデータ側集積回路２６に入力される。時刻Ｔ１０において入力されたデータにより、第１の絵文字２１の点滅に関するデータが規定される。特に限定しないが、第１６図に示す例では、時刻Ｔ１０において入力された２３９列目のデータは「００００」である。
時刻Ｔ７から時刻Ｔ１１において読み込まれたＫ行目を表示するためのデータを反映した出力信号は、Ｋ行目の走査期間である時刻Ｔ１２から時刻Ｔ１８まで継続して出力される。Ｋ行目の走査期間の時刻Ｔ１２から時刻Ｔ１８までの期間では、Ｋ行目の走査ライン７に接続された動画表示領域３４の２３７個のＴＦＴと第１の絵文字用ＴＦＴ５１がオン状態となる。したがって、［Ｋ−１］行目の走査期間の時刻Ｔ１０において読み込まれたデータを反映した出力信号が第１の絵文字電極２３に供給され、第１の絵文字２１の点滅が制御される。一方、Ｋ行目の走査期間の時刻Ｔ１２から時刻Ｔ１８までの期間では、第２の絵文字用ＴＦＴ５２はオフ状態であるので、第２の絵文字電極２４には表示用のデータが供給されない。つまり、［Ｋ−１］行目の走査期間の時刻Ｔ１１において読み込まれた２４０列目のデータは、第２の絵文字２２の表示制御に寄与しない。したがって、［Ｋ−１］行目の走査期間においてＫ行目を表示するためのデータとともに読み込まれる２４０列目のデータを不定としてもよい。
時刻Ｔ１２から時刻Ｔ１８までの期間では、Ｋ行目を表示するためのデータを反映した出力信号がデータ側集積回路２６から出力されると同時に、［Ｋ＋１］行目を表示するためのデータがデータ側集積回路２６に入力される。時刻Ｔ１３において［Ｋ＋１］行目の１列目のデータがデータ側集積回路２６に入力される。以下、順次データ信号の立ち上がりに同期して［Ｋ＋１］行目の２列目以降のデータがデータ側集積回路２６に入力され、時刻Ｔ１４（第１６図では省略されている）において［Ｋ＋１］行目の２３７列目のデータがデータ側集積回路２６に入力される。すなわち、時刻Ｔ１３から時刻Ｔ１４において動画表示領域３４の［Ｋ＋１］行目を表示するためのデータがデータ側集積回路２６に入力される。時刻Ｔ１５、時刻Ｔ１６および時刻Ｔ１７においてそれぞれ２３８列目、２３９列目および２４０列目のデータがデータ側集積回路２６に入力される。
Ｋ行目の走査期間の時刻Ｔ１３から時刻Ｔ１７において読み込まれた［Ｋ＋１］行目を表示するためのデータを反映した出力信号は、［Ｋ＋１］行目の走査期間（第１６図ではＫ〜［Ｌ−２］行目の走査期間にまとめられている）の時刻Ｔ１２から時刻Ｔ１８まで継続して出力される。ただし、［Ｋ＋１］行目の走査期間では、［Ｋ＋１］行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、［Ｋ＋１］行目の走査期間では第１の絵文字電極２３と第２の絵文字電極２４には、表示用のデータが供給されない。つまり、Ｋ行目の走査期間の時刻Ｔ１６、時刻Ｔ１７において読み込まれた２３９列目のデータと２４０列目のデータは、第１の絵文字２１および第２の絵文字２２の表示制御に寄与しない。これ以降［Ｌ−１］行目までを表示するためのデータについても同様である。よって、［Ｋ＋１］行目以降［Ｌ−１］行目までを表示するためのデータとともに読み込まれる２３９列目のデータと２４０列目のデータ、すなわちＫ行目の走査期間から［Ｌ−２］行目の走査期間までの間に読み込まれる２３９列目のデータと２４０列目のデータを不定としてもよい。
［Ｋ＋２］行目の走査期間から［Ｌ−２］行目の走査期間までは、［Ｋ＋１］行目の走査期間の時刻Ｔ１２から時刻Ｔ１８までと同じである。［Ｌ−２］行目の走査期間の時刻Ｔ１３から時刻Ｔ１７において読み込まれた［Ｌ−１］行目を表示するためのデータを反映した出力信号は、第１７図に示す［Ｌ−１］行目の走査期間の時刻Ｔ１８から時刻Ｔ２４まで継続して出力される。
時刻Ｔ１８から時刻Ｔ２４までの期間では、［Ｌ−１］行目を表示するためのデータを反映した出力信号がデータ側集積回路２６から出力されると同時に、Ｌ行目を表示するためのデータがデータ側集積回路２６に入力される。時刻Ｔ１９においてＬ行目の１列目のデータがデータ側集積回路２６に入力される。以下、順次データ信号の立ち上がりに同期してＬ行目の２列目以降のデータがデータ側集積回路２６に入力され、時刻Ｔ２０（第１７図では省略されている）においてＬ行目の２３７列目のデータがデータ側集積回路２６に入力される。すなわち、時刻Ｔ１９から時刻Ｔ２０において動画表示領域３４のＬ行目を表示するためのデータがデータ側集積回路２６に入力される。時刻Ｔ２１、時刻Ｔ２２および時刻Ｔ２３においてそれぞれ２３８列目、２３９列目および２４０列目のデータがデータ側集積回路２６に入力される。時刻Ｔ２３において入力されたデータにより、第２の絵文字２２の点滅に関するデータが規定される。特に限定しないが、第１７図に示す例では、時刻Ｔ２３において入力された２４０列目のデータは「１１１１」である。
時刻Ｔ１９から時刻Ｔ２３において読み込まれたＬ行目を表示するためのデータを反映した出力信号は、Ｌ行目の走査期間である時刻Ｔ２４から時刻Ｔ３０まで継続して出力される。Ｌ行目の走査期間の時刻Ｔ２４から時刻Ｔ３０までの期間では、Ｌ行目の走査ライン７に接続された動画表示領域３４の２３７個のＴＦＴと第２の絵文字用ＴＦＴ５２がオン状態となる。したがって、［Ｌ−１］行目の走査期間の時刻Ｔ２３において読み込まれたデータを反映した出力信号が第２の絵文字電極２４に供給され、第２の絵文字２２の点滅が制御される。一方、Ｌ行目の走査期間の時刻Ｔ２４から時刻Ｔ３０までの期間では、第１の絵文字用ＴＦＴ５１はオフ状態であるので、第１の絵文字電極２３には表示用のデータが供給されない。つまり、［Ｌ−１］行目の走査期間の時刻Ｔ２２において読み込まれた２３９列目のデータは、第１の絵文字２１の表示制御に寄与しない。したがって、［Ｌ−１］行目の走査期間においてＬ行目を表示するためのデータとともに読み込まれる２３９列目のデータを不定としてもよい。
Ｌ行目の走査期間の時刻Ｔ２４から時刻Ｔ３０までの期間では、Ｌ行目を表示するためのデータを反映した出力信号がデータ側集積回路２６から出力されると同時に、［Ｌ＋１］行目を表示するためのデータがデータ側集積回路２６に入力される。Ｌ行目の走査期間の時刻Ｔ２５において［Ｌ＋１］行目の１列目のデータがデータ側集積回路２６に入力される。以下、順次データ信号の立ち上がりに同期して［Ｌ＋１］行目の２列目以降のデータがデータ側集積回路２６に入力され、時刻Ｔ２６（第１７図では省略されている）において［Ｌ＋１］行目の２３７列目のデータがデータ側集積回路２６に入力される。すなわち、時刻Ｔ２５から時刻Ｔ２６において動画表示領域３４の［Ｌ＋１］行目を表示するためのデータがデータ側集積回路２６に入力される。時刻Ｔ２７、時刻Ｔ２８および時刻Ｔ２９においてそれぞれ２３８列目、２３９列目および２４０列目のデータがデータ側集積回路２６に入力される。
Ｌ行目の走査期間の時刻Ｔ２５から時刻Ｔ２９において読み込まれた［Ｌ＋１］行目を表示するためのデータを反映した出力信号は、［Ｌ＋１］行目の走査期間（第１７図ではＬ〜［Ｍ−２］行目の走査期間にまとめられている）の時刻Ｔ２４から時刻Ｔ３０まで継続して出力される。ただし、［Ｌ＋１］行目の走査期間では、［Ｌ＋１］行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、［Ｌ＋１］行目の走査期間では第１の絵文字電極２３と第２の絵文字電極２４には、表示用のデータが供給されない。つまり、Ｌ行目の走査期間の時刻Ｔ２８、時刻Ｔ２９において読み込まれた２３９列目のデータと２４０列目のデータは、第１の絵文字２１および第２の絵文字２２の表示制御に寄与しない。これ以降［Ｍ−１］行目までを表示するためのデータについても同様である。よって、［Ｌ＋１］行目以降［Ｍ−１］行目までを表示するためのデータとともに読み込まれる２３９列目のデータと２４０列目のデータ、すなわちＬ行目の走査期間から［Ｍ−２］行目の走査期間までの間に読み込まれる２３９列目のデータと２４０列目のデータを不定としてもよい。
［Ｌ＋２］行目の走査期間から［Ｍ−２］行目の走査期間までは、［Ｌ＋１］行目の走査期間の時刻Ｔ２４から時刻Ｔ３０までと同じである。［Ｍ−２］行目の走査期間の時刻Ｔ２５から時刻Ｔ２９において読み込まれた［Ｍ−１］行目を表示するためのデータを反映した出力信号は、［Ｍ−１］行目の走査期間の時刻Ｔ３０から時刻Ｔ３６まで継続して出力される。
時刻Ｔ３０から時刻Ｔ３６までの期間では、［Ｍ−１］行目を表示するためのデータを反映した出力信号がデータ側集積回路２６から出力されると同時に、Ｍ行目を表示するためのデータがデータ側集積回路２６に入力される。時刻Ｔ３１においてＭ行目の１列目のデータがデータ側集積回路２６に入力される。以下、順次データ信号の立ち上がりに同期してＭ行目の２列目以降のデータがデータ側集積回路２６に入力され、時刻Ｔ３２（第１７図では省略されている）においてＭ行目の２３７列目のデータがデータ側集積回路２６に入力される。すなわち、時刻Ｔ３１から時刻Ｔ３２において動画表示領域３４のＭ行目を表示するためのデータがデータ側集積回路２６に入力される。時刻Ｔ３３、時刻Ｔ３４および時刻Ｔ３５においてそれぞれ２３８列目、２３９列目および２４０列目のデータがデータ側集積回路２６に入力される。時刻Ｔ３５において入力されたデータにより、第２の絵文字２２の点滅に関するデータが規定される。特に限定しないが、第１７図に示す例では、時刻Ｔ３５において入力された２４０列目のデータは「１１１１」である。
時刻Ｔ３１から時刻Ｔ３５において読み込まれたＭ行目を表示するためのデータを反映した出力信号は、Ｍ行目の走査期間である時刻Ｔ３６以降に出力される。Ｍ行目の走査期間では、Ｍ行目の走査ライン７に接続された動画表示領域３４の２３７個のＴＦＴと第２の絵文字用ＴＦＴ５２がオン状態となる。したがって、［Ｍ−１］行目の走査期間の時刻Ｔ３５において読み込まれたデータを反映した出力信号が第２の絵文字電極２４に供給され、第２の絵文字２２の点滅が制御される。一方、Ｍ行目の走査期間では、第１の絵文字用ＴＦＴ５１はオフ状態であるので、第１の絵文字電極２３には表示用のデータが供給されない。つまり、［Ｍ−１］行目の走査期間の時刻Ｔ３４において読み込まれた２３９列目のデータは、第１の絵文字２１の表示制御に寄与しない。したがって、［Ｍ−１］行目の走査期間においてＭ行目を表示するためのデータとともに読み込まれる２３９列目のデータを不定としてもよい。
Ｍ行目の走査期間以降は、［Ｌ＋１］行目の走査期間の時刻Ｔ２４から時刻Ｔ３０までと同じである。したがって、Ｍ行目の走査期間以降に読み込まれる２３９列目のデータと２４０列目のデータを不定としてもよい。
つまり、２３９列目のデータおよび２４０列目のデータについてまとめると、２３９列目のデータについては、動画表示領域３４の１行目とＫ行目を表示するためのデータ、すなわち１行目の走査期間の直前に読み込まれるデータと［Ｋ−１］行目の走査期間に読み込まれるデータを除いて、不定としてもよい。また、２４０列目のデータについては、動画表示領域３４のＬ行目とＭ行目を表示するためのデータ、すなわち［Ｌ−１］行目の走査期間に読み込まれるデータと［Ｍ−１］行目の走査期間に読み込まれるデータを除いて、不定としてもよい。
（第８の形態）
第１８図は、第１図（ａ），（ｂ）に示した本発明の一実施例の携帯機器１０に内蔵された実施の形態２にかかる液晶表示装置１４１５の構成を説明するものである。第８の形態の液晶表示装置１４１５は、絵文字表示領域３３において、第１の絵文字を表示するための第１の絵文字電極２３を第１の絵文字用ＴＦＴ５１により駆動し、また第２の絵文字を表示するための第２の絵文字電極２４を第２の絵文字用ＴＦＴ５２により駆動する構成であって、絵文字用ＴＦＴを動画表示領域３４のＴＦＴ２９とは異なるタイミングでオン状態とする構成となっている。すなわち、上述した第５の形態の構成において、第２の絵文字用ＴＦＴ５２のゲート端子を、走査側集積回路２７の、動画表示領域３４のＴＦＴ２９に接続された１２０本の走査ライン７が接続している電極とは異なる電極（以下、余剰端子とする）に接続したものである。液晶表示装置１４１５のその他の構成は、上述した第１〜第３の形態における液晶表示装置１５（第２図参照）と同じであるので、第２図に示す液晶表示装置１５と同じ構成については同一の符号を付して重複する説明を省略する。
以下、第５の形態と異なる構成についてのみ説明する。第２の絵文字用ＴＦＴ５２のゲート端子は、動画表示領域３４のＴＦＴ２９に接続された１２０本の走査ライン７とは異なる走査ライン５５に接続されている。この走査ライン５５は、たとえば素子基板８の外周部に配線されており、走査側集積回路２７の余剰端子５６に接続されている。
次に、上述した構成の液晶表示装置１４１５の動作を第１９図に示すタイミングチャートに従って説明する。第８の形態の液晶表示装置１４１５は、絵文字表示領域３３に背景電極が設けられていない形態である。第１９図はデータ側集積回路２６の絵文字点灯を説明するための入出力タイミングを示すタイミングチャートである。このタイミングチャートの説明では、Ｎを１２０以上の整数とする。また、本実施の形態では、動画表示領域３４には１２１行目以降は存在しないが、説明の便宜上、第２の絵文字用ＴＦＴ５２のゲート端子が走査ライン５５を介して接続された走査側集積回路２７の余剰端子５６を［Ｎ＋１］行目の端子とする。
第１９図に示すように、１行目を表示するためのデータは、１行目の走査期間の直前にデータ側集積回路２６に入力される。この１行目を表示するためのデータが入力される期間の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定される。特に限定しないが、第１９図に示す例では、時刻ｔ１０において入力された２３９列目のデータは「００００」である。
時刻ｔ１１までに読み込まれた１行目を表示するためのデータを反映した出力信号は、１行目の走査期間である時刻ｔ１２から時刻Ｔ６まで継続して出力される。時刻ｔ１２から時刻Ｔ６までの期間では、１行目の走査ライン７に接続された動画表示領域３４の２３７個のＴＦＴと第１の絵文字用ＴＦＴ５１がオン状態となる。したがって、時刻ｔ１０において読み込まれたデータを反映した出力信号が第１の絵文字電極２３に供給され、第１の絵文字２１の点滅が制御される。一方、時刻ｔ１２から時刻Ｔ６までの期間では、第２の絵文字用ＴＦＴ５２はオフ状態であるので、第２の絵文字電極２４には表示用のデータが供給されない。つまり、時刻ｔ１１において読み込まれた２４０列目のデータは、第２の絵文字２２の表示制御に寄与しない。したがって、１行目を表示するためのデータとともに読み込まれる２４０列目のデータを不定としてもよい。
１行目の走査期間の時刻ｔ１２から時刻Ｔ６までの期間では、１行目を表示するためのデータを反映した出力信号がデータ側集積回路２６から出力されると同時に、２行目を表示するためのデータがデータ側集積回路２６に入力される。時刻Ｔ１において２行目の１列目のデータがデータ側集積回路２６に入力される。以下、順次データ信号の立ち上がりに同期して２行目の２列目以降のデータがデータ側集積回路２６に入力され、時刻Ｔ２（第１９図では省略されている）において２行目の２３７列目のデータがデータ側集積回路２６に入力される。すなわち、時刻Ｔ１から時刻Ｔ２において動画表示領域３４の２行目を表示するためのデータがデータ側集積回路２６に入力される。時刻Ｔ３、時刻Ｔ４および時刻Ｔ５においてそれぞれ２３８列目、２３９列目および２４０列目のデータがデータ側集積回路２６に入力される。
１行目の走査期間の時刻Ｔ１から時刻Ｔ２、時刻Ｔ３、時刻Ｔ４、時刻Ｔ５において読み込まれた２行目を表示するためのデータを反映した出力信号は、２行目の走査期間（第１９図では１〜［Ｎ−１］行目の走査期間にまとめられている）の時刻ｔ１２から時刻Ｔ６まで継続して出力される。ただし、２行目の走査期間での時刻ｔ１２から時刻Ｔ６までの期間では、２行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、２行目の走査期間では第１の絵文字電極２３と第２の絵文字電極２４には、表示用のデータが供給されない。つまり、１行目の走査期間の時刻Ｔ４、時刻Ｔ５において読み込まれた２３９列目のデータと２４０列目のデータは、第１の絵文字２１および第２の絵文字２２の表示制御に寄与しない。これは、３行目以降Ｎ行目までを表示するためのデータについても同様である。よって、２行目以降Ｎ行目までを表示するためのデータとともに読み込まれる２３９列目のデータと２４０列目のデータ、すなわち１行目の走査期間から［Ｎ−１］行目の走査期間までの間に読み込まれる２３９列目のデータと２４０列目のデータを不定としてもよい。
３行目の走査期間から［Ｎ−１］行目の走査期間までは、２行目の走査期間の時刻ｔ１２から時刻Ｔ６までと同じである。［Ｎ−１］行目の走査期間の時刻Ｔ１から時刻Ｔ５において読み込まれたＮ行目を表示するためのデータを反映した出力信号は、Ｎ行目の走査期間の時刻Ｔ６から時刻Ｔ１２まで継続して出力される。
時刻Ｔ６から時刻Ｔ１２までの期間では、Ｎ行目を表示するためのデータを反映した出力信号がデータ側集積回路２６から出力されると同時に、［Ｎ＋１］行目を表示するためのデータがデータ側集積回路２６に入力される。時刻Ｔ７において［Ｎ＋１］行目の１列目のデータがデータ側集積回路２６に入力される。以下、順次データ信号の立ち上がりに同期して［Ｎ＋１］行目の２列目以降のデータがデータ側集積回路２６に入力され、時刻Ｔ８（第１９図では省略されている）において［Ｎ＋１］行目の２３７列目のデータがデータ側集積回路２６に入力される。すなわち、時刻Ｔ７から時刻Ｔ８において動画表示領域３４の［Ｎ＋１］行目を表示するためのデータがデータ側集積回路２６に入力される。時刻Ｔ９、時刻Ｔ１０および時刻Ｔ１１においてそれぞれ２３８列目、２３９列目および２４０列目のデータがデータ側集積回路２６に入力される。時刻Ｔ１１において入力されたデータにより、第２の絵文字２２の点滅に関するデータが規定される。特に限定しないが、第１９図に示す例では、時刻Ｔ１１において入力された２４０列目のデータは「１１１１」である。
時刻Ｔ７から時刻Ｔ１１において読み込まれた［Ｎ＋１］行目を表示するためのデータを反映した出力信号は、［Ｎ＋１］行目の走査期間である時刻Ｔ１２から時刻Ｔ１８まで継続して出力される。時刻Ｔ１２から時刻Ｔ１８までの期間では、［Ｎ＋１］行目の走査ライン７に接続された動画表示領域３４の２３７個のＴＦＴと第２の絵文字用ＴＦＴ５２がオン状態となる。したがって、Ｎ行目の走査期間の時刻Ｔ１１において読み込まれたデータを反映した出力信号が第２の絵文字電極２４に供給され、第２の絵文字２２の点滅が制御される。一方、時刻Ｔ１２から時刻Ｔ１８までの期間では、第１の絵文字用ＴＦＴ５１はオフ状態であるので、第１の絵文字電極２３には表示用のデータが供給されない。つまり、Ｎ行目の走査期間の時刻Ｔ１０において読み込まれた２３９列目のデータは、第１の絵文字２１の表示制御に寄与しない。したがって、Ｎ行目の走査期間において［Ｎ＋１］行目を表示するためのデータとともに読み込まれる２３９列目のデータを不定としてもよい。
［Ｎ＋１］行目の走査期間以降は、２行目の走査期間の時刻ｔ１２から時刻Ｔ６までと同じである。したがって、［Ｎ＋１］行目の走査期間以降に読み込まれる２３９列目のデータと２４０列目のデータを不定としてもよい。
つまり、２３９列目のデータおよび２４０列目のデータについてまとめると、２３９列目のデータについては、動画表示領域３４の１行目を表示するためのデータ、すなわち１行目の走査期間の直前に読み込まれるデータを除いて、不定としてもよい。また、２４０列目のデータについては、動画表示領域３４の［Ｎ＋１］行目を表示するためのデータ、すなわちＮ行目の走査期間に読み込まれるデータを除いて、不定としてもよい。
なお、第１の絵文字用ＴＦＴ５１のゲート端子を、走査側集積回路２７の、第２の絵文字用ＴＦＴ５２のゲート端子が接続された余剰端子５６に接続した構成としてもよいし、第２の絵文字用ＴＦＴ５２のゲート端子が接続された余剰端子５６とは異なる余剰端子に接続した構成としてもよい。
（第９の形態）
第２０図は、第１図（ａ），（ｂ）に示した本発明の一実施例の携帯機器１０に内蔵された実施の形態２にかかる液晶表示装置１５１５の構成を説明するものである。第９の形態の液晶表示装置１５１５は、絵文字表示領域３３において、第１の絵文字を表示するための第１の絵文字電極２３を第１の絵文字用ＴＦＴ５１により駆動し、また第２の絵文字を表示するための第２の絵文字電極２４を第２の絵文字用ＴＦＴ５２により駆動する構成であって、第１の絵文字用ＴＦＴ５１と第２の絵文字用ＴＦＴ５２をデータ側集積回路２６の同じ電極に接続するとともに、第１の絵文字用ＴＦＴ５１と第２の絵文字用ＴＦＴ５２を異なるタイミングでオン状態とする構成となっている。すなわち、上述した第５の形態の構成において、第２の絵文字用ＴＦＴ５２のソース端子を、第１の絵文字用ＴＦＴ５１のソース端子が接続された信号ライン１９に接続したものである。液晶表示装置１５１５のその他の構成は、上述した第１〜第３の形態における液晶表示装置１５（第２図参照）と同じであるので、第２図に示す液晶表示装置１５と同じ構成については同一の符号を付して重複する説明を省略する。
以下、第５の形態と異なる構成についてのみ説明する。第１の絵文字用ＴＦＴ５１と第２の絵文字用ＴＦＴ５２には、データ側集積回路２６の同じ電極からデータが供給される。データ側集積回路２６は、第１の絵文字用ＴＦＴ５１がオン状態（第２の絵文字用ＴＦＴ５２はオフ状態）となるときに、第１の絵文字用ＴＦＴ５１および第２の絵文字用ＴＦＴ５２が接続された電極に、第１の絵文字２１の点滅に関するデータを出力する。また、データ側集積回路２６は、第２の絵文字用ＴＦＴ５２がオン状態（第１の絵文字用ＴＦＴ５１はオフ状態）となるときに、第１の絵文字用ＴＦＴ５１および第２の絵文字用ＴＦＴ５２が接続された電極に、第２の絵文字２２の点滅に関するデータを出力する。
次に、上述した構成の液晶表示装置１５１５の動作を第２１図に示すタイミングチャートに従って説明する。第９の形態の液晶表示装置１５１５は、絵文字表示領域３３に背景電極が設けられていない形態である。第２１図はデータ側集積回路２６の絵文字点灯を説明するための入出力タイミングを示すタイミングチャートである。
第２１図に示すように、１行目を表示するためのデータは、１行目の走査期間の直前にデータ側集積回路２６に入力される。この１行目を表示するためのデータが入力される期間の時刻ｔ１０において２３９列目のデータがデータ側集積回路２６に入力され、時刻ｔ１１において２４０列目のデータがデータ側集積回路２６に入力される。すなわち、時刻ｔ１０において第１の絵文字２１の点滅に関するデータが規定される。特に限定しないが、第２１図に示す例では、時刻ｔ１０において入力された２３９列目のデータは「００００」である。第９の形態では、２４０列目のデータは常に不定である。
時刻ｔ１１までに読み込まれた１行目を表示するためのデータを反映した出力信号は、１行目の走査期間である時刻ｔ１２から時刻Ｔ６まで継続して出力される。時刻ｔ１２から時刻Ｔ６までの期間では、１行目の走査ライン７に接続された動画表示領域３４の２３７個のＴＦＴと第１の絵文字用ＴＦＴ５１がオン状態となる。したがって、時刻ｔ１０において読み込まれたデータを反映した出力信号が第１の絵文字電極２３に供給され、第１の絵文字２１の点滅が制御される。
時刻ｔ１２から時刻Ｔ６までの期間では、１行目を表示するためのデータを反映した出力信号がデータ側集積回路２６から出力されると同時に、２行目を表示するためのデータがデータ側集積回路２６に入力される。時刻Ｔ１において２行目の１列目のデータがデータ側集積回路２６に入力される。以下、順次データ信号の立ち上がりに同期して２行目の２列目以降のデータがデータ側集積回路２６に入力され、時刻Ｔ２（第２１図では省略されている）において２行目の２３７列目のデータがデータ側集積回路２６に入力される。すなわち、時刻Ｔ１から時刻Ｔ２において動画表示領域３４の２行目を表示するためのデータがデータ側集積回路２６に入力される。時刻Ｔ３、時刻Ｔ４および時刻Ｔ５においてそれぞれ２３８列目、２３９列目および２４０列目のデータがデータ側集積回路２６に入力される。
１行目の走査期間の時刻Ｔ１から時刻Ｔ２、時刻Ｔ３、時刻Ｔ４、時刻Ｔ５において読み込まれた２行目を表示するためのデータを反映した出力信号は、２行目の走査期間（第２１図では１〜［Ｌ−２］行目走査期間にまとめられている）の時刻ｔ１２から時刻Ｔ６まで継続して出力される。ただし、２行目の走査期間での時刻ｔ１２から時刻Ｔ６までの期間では、２行目の走査ライン７に接続された動画表示領域３４の２３７個のＴＦＴはオン状態となるが、第１の絵文字用ＴＦＴ５１および第２の絵文字用ＴＦＴ５２はオフ状態である。したがって、２行目の走査期間では第１の絵文字電極２３と第２の絵文字電極２４には、表示用のデータが供給されない。つまり、１行目の走査期間の時刻Ｔ４において読み込まれた２３９列目のデータは、第１の絵文字２１および第２の絵文字２２の表示制御に寄与しない。これは、３行目以降［Ｌ−１］行目までを表示するためのデータについても同様である。よって、２行目以降［Ｌ−１］行目までを表示するためのデータとともに読み込まれる２３９列目のデータ、すなわち１行目の走査期間から［Ｌ−２］行目の走査期間までの間に読み込まれる２３９列目のデータを不定としてもよい。
３行目の走査期間から［Ｌ−２］行目の走査期間までは、２行目の走査期間の時刻ｔ１２から時刻Ｔ６までと同じである。［Ｌ−２］行目の走査期間の時刻Ｔ１から時刻Ｔ５において読み込まれた［Ｌ−１］行目を表示するためのデータを反映した出力信号は、［Ｌ−１］行目の走査期間の時刻Ｔ６から時刻Ｔ１２まで継続して出力される。
時刻Ｔ６から時刻Ｔ１２までの期間では、［Ｌ−１］行目を表示するためのデータを反映した出力信号がデータ側集積回路２６から出力されると同時に、Ｌ行目を表示するためのデータがデータ側集積回路２６に入力される。時刻Ｔ７においてＬ行目の１列目のデータがデータ側集積回路２６に入力される。以下、順次データ信号の立ち上がりに同期してＬ行目の２列目以降のデータがデータ側集積回路２６に入力され、時刻Ｔ８（第２１図では省略されている）においてＬ行目の２３７列目のデータがデータ側集積回路２６に入力される。すなわち、時刻Ｔ７から時刻Ｔ８において動画表示領域３４のＬ行目を表示するためのデータがデータ側集積回路２６に入力される。時刻Ｔ９、時刻Ｔ１０および時刻Ｔ１１においてそれぞれ２３８列目、２３９列目および２４０列目のデータがデータ側集積回路２６に入力される。時刻Ｔ１０において入力されたデータにより、第２の絵文字２２の点滅に関するデータが規定される。特に限定しないが、第２１図に示す例では、時刻Ｔ１０において入力された２３９列目のデータは「１１１１」である。
時刻Ｔ７から時刻Ｔ１１において読み込まれたＬ行目を表示するためのデータを反映した出力信号は、Ｌ行目の走査期間である時刻Ｔ１２から時刻Ｔ１８まで継続して出力される。時刻Ｔ１２から時刻Ｔ１８までの期間では、Ｌ行目の走査ライン７に接続された動画表示領域３４の２３７個のＴＦＴと第２の絵文字用ＴＦＴ５２がオン状態となる。したがって、［Ｌ−１］行目の走査期間の時刻Ｔ１０において読み込まれたデータを反映した出力信号が第２の絵文字電極２４に供給され、第２の絵文字２２の点滅が制御される。
Ｌ行目の走査期間以降は、２行目の走査期間の時刻ｔ１２から時刻Ｔ６までと同じである。したがって、Ｌ行目の走査期間以降に読み込まれる２３９列目のデータを不定としてもよい。
本発明の形態における区切り線１０３としてはＣｒ金属を使用したが、他の金属でもカラーフィルター等に使用される有機膜でも可能である。
以上、９つの形態を電位差で階調表現するパルス高さ変調（ＰＨＭ）手段にて説明したが、いずれの例においてもパルス幅で階調表現するパルス幅変調（ＰＷＭ）手段にても同様に行うことができる。また、以上の９つの形態においてはチップオングラス実装方式の実施例を説明したが、ＴＡＢ実装方式等の他の方法による実装構造も同様に使用することができる。さらに、以上の実施の形態では、ノーマリ白の液晶表示装置を説明したが、ノーマリ黒においても本発明は同様に適用できる。勿論、絵文字の数は２つに限ったものではないし、点灯する絵文字を規定するものではない。
また、上述した各形態では、データ側集積回路と走査側集積回路を設けているが、これらの機能を１チップにまとめた集積回路を用いてもよい。また、上述した第４〜第９の形態を適宜組み合わせた構成とすることもできる。
以上の説明から明らかなように、本発明によれば、コモン電源とデータ側集積回路のデータ出力信号との電位差に基づいて、絵文字を表示するＴＦＴ型液晶表示装置において、データ側集積回路をコモン電源の極性に応じて駆動を行うことによって、絵文字表示用のセグメントドライバは不要となり、省スペースで低コストを達成できる。さらに、第２の形態においてはデータ出力信号の階調を調節することによって、絵文字駆動における直流成分を軽減することができる。また、第３の形態においては動画表示領域と絵文字表示領域の境界が鮮明となり、動画が見やすくなると共に、動画表示領域のデザインに影響を与えにくい。第４〜第９の形態においては第２および第３の形態のような直流成分の発生を抑えるための制御が不要となる。そうすることで、これを構成するための回路が不要となり省スペース化が望める。しかも本形態によれば駆動電力を低くすることができる。
特に、第４〜第９の形態において、第４の形態によれば絵文字に対する配線が容易であるので、配線スペースを削減することができる。また、第５の形態によれば離れて配置された絵文字に対する配線が容易となるので、配線スペースを削減することができる。また、第６の形態によれば絵文字電極を駆動する薄膜トランジスタのトータルインピーダンスが低くなるので、面積の広い絵文字の点灯および消灯を高速で確実におこなうことができ、また面積の広い絵文字のコントラストを高めることができるとともに、一絵文字電極に接続された複数の薄膜トランジスタのうち１つでも正常であれば絵文字を駆動することができるので、絵文字の点灯不良率を下げることができる。また、第７の形態によれば絵文字の画素への書き込みが異なるタイミングでおこなわれることにより、応答時間が速い液晶を用いてもコントラストがよくなるので、交流駆動期間を短くすることができ、液晶の劣化を防ぐことができる。また、第８の形態によれば絵文字電極を駆動する薄膜トランジスタが動画表示領域の薄膜トランジスタから独立して走査されるので、絵文字電極を駆動する薄膜トランジスタを動画表示領域の薄膜トランジスタと一緒に駆動する場合に比べて、ゲート容量に伴う波形鈍りを防ぐことができる。また、第９の形態によればデータ側集積回路の出力端子数が少なくても複数の絵文字を表示することができる。
産業上の利用可能性
以上のように本発明は、ＴＦＴを用いた液晶表示装置であって、非固定画像を表示するための領域と、静止固定画像を表示するための領域の２つの表示領域を備えた液晶表示装置において、省スペースでかつ低コストのドライバを使用して、非固定画像と静止固定画像の両方の画像を１つの駆動ドライバによって駆動することができる液晶表示装置に適している。
【図面の簡単な説明】
第１図は、本発明の液晶表示装置を備えた携帯機器の一実施例の外観を示すものであり、（ａ）は絵文字表示領域に背景色がない場合の実施形態の斜視図、（ｂ）は絵文字表示領域に背景色がある場合の実施形態の斜視図であり、第２図は、第１図（ａ），（ｂ）に示した本発明の実施の形態１の内部の回路構成を説明する説明図であり、第３図は、本発明の液晶表示装置における絵文字表示領域の駆動方法の第１の実施例（第１の形態）のタイミングチャートであり、第４図は、第３図の駆動方法における絵文字電極への印加電圧の推移を示す波形図であり、第５図は、本発明の液晶表示装置における絵文字表示領域の駆動方法の第２の実施例（第２の形態）のタイミングチャートであり、第６図は、第５図の駆動方法における絵文字電極への印加電圧の推移を示す波形図であり、第７図は、第１図（ｂ）に示した実施の形態の液晶表示装置における絵文字表示領域の、電極の配置を説明するための電極パターン図であり、（ａ）は絵文字電極のみに電圧が印加された状態を示す図、（ｂ）は背景電極のみに電圧が印加された状態を示す図であり、第８図は、本発明の液晶表示装置における絵文字表示領域の駆動方法の第３の実施例（第３の形態）のタイミングチャートであり、第９図は、第５図の駆動方法における絵文字電極および背景電極への印加電圧の推移を示す波形図であり、第１０図は、本発明の実施の形態２における第４の実施例（第４の形態）の内部の回路構成を説明する説明図であり、第１１図は、第１０図に示す第４の実施例（第４の形態）における絵文字表示領域の駆動方法のタイミングチャートであり、第１２図は、本発明の実施の形態２における第５の実施例（第５の形態）の内部の回路構成を説明する説明図であり、第１３図は、第１２図に示す第５の実施例（第５の形態）における絵文字表示領域の駆動方法のタイミングチャートであり、第１４図は、本発明の実施の形態２における第６の実施例（第６の形態）の内部の回路構成を説明する説明図であり、第１５図は、本発明の実施の形態２における第７の実施例（第７の形態）の内部の回路構成を説明する説明図であり、第１６図は、第１５図に示す第７の実施例（第７の形態）における絵文字表示領域の駆動方法のタイミングチャートであり、第１７図は、第１６図に示すタイミングチャートのつづきを示すタイミングチャートであり、第１８図は、本発明の実施の形態２における第８の実施例（第８の形態）の内部の回路構成を説明する説明図であり、第１９図は、第１８図に示す第８の実施例（第８の形態）における絵文字表示領域の駆動方法のタイミングチャートであり、第２０図は、本発明の実施の形態２における第９の実施例（第９の形態）の内部の回路構成を説明する説明図であり、第２１図は、第２０図に示す第９の実施例（第９の形態）における絵文字表示領域の駆動方法のタイミングチャートである。
【図１】
2003088201.tif 000003
【図２】
2003088201.tif 000004
【図３】
2003088201.tif 000005
【図４】
2003088201.tif 000006
【図５】
2003088201.tif 000007
【図６】
2003088201.tif 000008
【図７】
2003088201.tif 000009
【図８】
2003088201.tif 000010
【図９】
2003088201.tif 000011
【図１０】
2003088201.tif 000012
【図１１】
2003088201.tif 000013
【図１２】
2003088201.tif 000014
【図１３】
2003088201.tif 000015
【図１４】
2003088201.tif 000016
【図１５】
2003088201.tif 000017
【図１６】
2003088201.tif 000018
【図１７】
2003088201.tif 000019
【図１８】
2003088201.tif 000020
【図１９】
2003088201.tif 000021
【図２０】
2003088201.tif 000022
【図２１】
2003088201.tif 000023
【手続補正書】
【提出日】平成16年2月5日(2004.2.5)
【手続補正１】
【補正対象書類名】特許請求の範囲
【補正対象項目名】全文
【補正方法】変更
【補正の内容】
【特許請求の範囲】
【請求項１】
動画を表示する動画表示領域と、絵文字表示領域とを備えた液晶表示装置であって、前記動画表示領域は薄膜トランジスタ素子で駆動される表示電極がマトリクス状に配置されて構成され、前記絵文字表示領域はセグメント電極が所定の絵文字の形に配置されて構成された液晶表示装置において、
前記動画表示領域と前記絵文字表示領域に対向する位置の全面に共通するコモン電極を設け、
走査ライン駆動用の走査側集積回路を、前記動画表示領域において行方向に配置された前記薄膜トランジスタに接続する各走査ラインに接続して設け、
データライン駆動用のデータ側集積回路を、前記動画表示領域において列方向に配置された前記薄膜トランジスタに接続する各データラインに接続して設けると共に、前記データ側集積回路には前記データラインの本数よりも多い出力端子を設け、
前記セグメント電極を、前記データ側集積回路の動画用のデータラインが接続する出力端子とは異なる出力端子に接続して、前記コモン電極の電位と、コモン電源の極性に応じて駆動を行うことにより生じる前記データ側集積回路からの出力信号の電位との差により前記絵文字表示領域の前記絵文字を表示するようにしたことを特徴とする液晶表示装置。
【請求項２】
請求の範囲第１項に記載の液晶表示装置において、前記データ側集積回路からの前記セグメント電極への出力信号を、所定期間毎に異なる出力電位にすることを特徴とする液晶表示装置。
【請求項３】
請求の範囲第２項に記載の液晶表示装置において、前記所定期間毎に異なる出力電位を、前記コモン電極の電位の電圧範囲内にすることによって、前記データ出力信号の電位と、前記コモン電極の電位との差に起因する直流成分を抑えるようにしたことを特徴とする液晶表示装置。
【請求項４】
請求の範囲第２項に記載の液晶表示装置において、前記所定期間を前記コモン電極の電位の極性反転期間としたことを特徴とする液晶表示装置。
【請求項５】
請求の範囲第３項に記載の液晶表示装置において、前記所定期間毎に異なる出力電位を、前記データ側集積回路への階調を規定する入力信号によって制御するようにしたことを特徴とする液晶表示装置。
【請求項６】
動画を表示する動画表示領域と、絵文字表示領域とを備えた液晶表示装置であって、前記動画表示領域は動画用薄膜トランジスタ素子で駆動される表示電極がマトリクス状に配置されて構成され、前記絵文字表示領域は絵文字用薄膜トランジスタ素子で駆動される絵文字電極が所定の絵文字の形に配置されて構成された液晶表示装置において、
前記動画表示領域と前記絵文字表示領域に対向する位置の全面に共通するコモン電極を設け、
走査ライン駆動用の走査側集積回路を、前記動画表示領域において行方向に配置された前記動画用薄膜トランジスタに接続する各走査ラインに接続して設け、
データライン駆動用のデータ側集積回路を、前記動画表示領域において列方向に配置された前記動画用薄膜トランジスタに接続する各データラインに接続して設けると共に、前記データ側集積回路には前記データラインの本数よりも多い出力端子を設け、
前記絵文字用薄膜トランジスタのソース端子またはドレイン端子のいずれか一方を、前記データ側集積回路の複数の出力端子のうち、前記動画用薄膜トランジスタに接続された各データラインが接続する出力端子とは異なる出力端子に接続し、前記絵文字用薄膜トランジスタの他方の端子を前記絵文字電極に接続し、前記絵文字用薄膜トランジスタのゲート端子を前記走査側集積回路の出力端子に接続し、前記コモン電極の電位と前記絵文字用薄膜トランジスタの前記絵文字電極に接続されたソース端子またはドレイン端子の電位との差により前記絵文字表示領域の前記絵文字を表示するようにしたことを特徴とする液晶表示装置。
【請求項７】
請求の範囲第６項に記載の液晶表示装置において、前記絵文字表示領域に複数の前記絵文字電極および複数の前記絵文字用薄膜トランジスタを設け、複数の前記絵文字用薄膜トランジスタのゲート端子を、前記走査側集積回路の同一の出力端子に接続することを特徴とする液晶表示装置。
【請求項８】
請求の範囲第６項に記載の液晶表示装置において、前記絵文字表示領域に複数の前記絵文字電極および複数の前記絵文字用薄膜トランジスタを設け、複数の前記絵文字用薄膜トランジスタのゲート端子を、前記走査側集積回路の異なる出力端子に接続することを特徴とする液晶表示装置。
【請求項９】
請求の範囲第６項に記載の液晶表示装置において、一つの前記絵文字電極に複数の前記絵文字用薄膜トランジスタを接続することを特徴とする液晶表示装置。
【請求項１０】
請求の範囲第９項に記載の液晶表示装置において、同一の前記絵文字電極に接続された複数の前記絵文字用薄膜トランジスタのゲート端子を、前記走査側集積回路の異なる出力端子に接続することを特徴とする液晶表示装置。
【請求項１１】
請求の範囲第６項に記載の液晶表示装置において、前記絵文字用薄膜トランジスタのゲート端子を、前記走査側集積回路の複数の出力端子のうち、前記動画用薄膜トランジスタに接続された各走査ラインが接続する出力端子とは異なる出力端子に接続することを特徴とする液晶表示装置。
【請求項１２】
請求の範囲第６項に記載の液晶表示装置において、前記絵文字表示領域に複数の前記絵文字電極および複数の前記絵文字用薄膜トランジスタを設け、複数の前記絵文字用薄膜トランジスタの前記絵文字電極に接続されたソース端子またはドレイン端子のいずれか一方の端子を、前記データ側集積回路の同一の出力端子に接続し、複数の前記絵文字用薄膜トランジスタの他方の端子を、前記走査側集積回路の異なる出力端末に接続することを特徴とする液晶表示装置。
【手続補正２】
【補正対象書類名】明細書
【補正対象項目名】０００８
【補正方法】変更
【補正の内容】
【０００８】
ン電極３２が形成されている。そして、この液晶表示装置１５の表示領域は、後述する絵文字のような固定静止画を表示する絵文字表示領域３３と、動画や固定でない静止画等を表示する動画表示領域３４とに分割されている。
液晶表示装置１５の動画表示領域３４の解像度、すなわち、素子基板８の上に設けられた表示画素数は、この実施例では１行（横方向）に２３７個、１列（縦方向）に１２０個である。また、この実施例の液晶表示装置１５は、表示画素電極に何も電圧を印加しない場合は光を反射するモード（ノーマリ白）の反射型液晶表示装置である。
ＦＰＣ３１とＰＣＢ１８とは、圧着コネクタ（図示せず）によって接続されており、ＦＰＣ３１と素子基板８とは異方性導電シート（ＡＣＳ）によって熱圧着されている。ＦＰＣ３１に図示された破線は、ＦＰＣ３１の裏側（紙面裏面）に設けられた配線を示している。
ＦＰＣ３１はＰＣＢ１８に備えられた信号発生回路である制御回路１６から発生する信号、および電源回路１７から発生する電源を、データ側集積回路２６と走査側集積回路２７に入力し、データ側集積回路２６と走査側集積回路２７からの出力を素子基板８に設けられたＴＦＴ２９に入力する役割を果す。
動画表示領域３４にある１つの画素３９は、ＴＦＴ２９、ＴＦＴ２９に接続する表示画素電極３８、表示画素電極３８に対向するコモン電極３２、および、表示画素電極３８とコモン電極３２に挟まれた液晶３６とから構成される。そして、各画素３９は、データ側集積回路２６の出力をデータ信号とし、走査側集積回路２７の出力を走査信号として駆動される。このため、データ側集積回路２６には動画用の２３７本のデータライン６が接続しており、走査側集積回路２７にはデータライン６に交差する１２０本の走査ライン７が接続している。そして、データライン６と走査ライン７の交差部分に、各画素３９が形成されている。従って、２３７列１２０行の画素３９は、時分割線順次駆動（マルチプレックス駆動）することによって、動画表示領域３４に画像を表示する。データ側集積回路２６は、素子基板８に異方性導電シート（ＡＣＳ）によって熱圧着にて実装されている


【手続補正３】
【補正対象書類名】明細書
【補正対象項目名】００２７
【補正方法】変更
【補正の内容】
【００２７】
れに接続する箇所を入れ替えた構成としても、同様の効果を得ることができる。
（第４の形態）
第１０図は、第１図（ａ），（ｂ）に示した本発明の一実施例の携帯機器１０に内蔵された実施の形態２にかかる液晶表示装置１０１５の構成を説明するものである。第４の形態の液晶表示装置１０１５は、絵文字表示領域３３において、第１の絵文字を表示するための第１の絵文字電極２３を第１の絵文字用薄膜トランジスタ（ＴＦＴ）５１により駆動し、また第２の絵文字を表示するための第２の絵文字電極２４を第２の絵文字用薄膜トランジスタ（ＴＦＴ）５２により駆動する構成となっている。液晶表示装置１０１５のその他の構成は、上述した第１〜第３の形態における液晶表示装置１５（第２図参照）と同じであるので、第２図に示す液晶表示装置１５と同じ構成については同一の符号を付して重複する説明を省略する。
第１の絵文字用ＴＦＴ５１は、素子基板８に設けられている。第１の絵文字用ＴＦＴ５１のソース端子またはドレイン端子のいずれか一方の端子は、信号ライン１９に接続されている。この信号ライン１９は、データ側集積回路２６に設けられた動画用のデータライン６以外のラインであり、データ側集積回路２６に追加して設けられたクロム（Ｃｒ）金属の電極に接続されている。第１の絵文字用ＴＦＴ５１の他方の端子は、第１の絵文字電極２３に接続されている。第１の絵文字用ＴＦＴ５１のゲート端子は、走査側集積回路２７に接続された１２０本の走査ライン７のうちのいずれか１本、特に限定しないが、たとえば第１０図に示す例では１行目の走査ライン７に、動画表示領域３４の１行目に配列された２３７個のＴＦＴ２９のゲート端子とともに接続されている。
第２の絵文字用ＴＦＴ５２は、素子基板８に設けられている。第２の絵文字用ＴＦＴ５２のソース端子またはドレイン端子のいずれか一方の端子は、信号ライン２０に接続されている。この信号ライン２０は、データ側集積回路２６に設けられた動画用のデータライン６以外のラインであり、データ側集積回路２６にさらに追加して設けられたクロム（Ｃｒ）金属の電極に接続されている。第４の形


【手続補正４】
【補正対象書類名】明細書
【補正対象項目名】００２８
【補正方法】変更
【補正の内容】
【００２８】
態では、第１の絵文字用ＴＦＴ５１と第２の絵文字用ＴＦＴ５２はデータ側集積回路２６の別々の電極に接続されている。第２の絵文字用ＴＦＴ５２の他方の端子は、第２の絵文字電極２４に接続されている。第２の絵文字用ＴＦＴ５２のゲート端子は、第１の絵文字用ＴＦＴ５１のゲート端子と同じ走査ライン７、すなわち第１０図に示す例では１行目の走査ライン７に接続されている。
したがって、ＦＰＣ３１は、データ側集積回路２６と走査側集積回路２７からの出力を動画表示領域３４のＴＦＴ２９に入力する役割だけでなく、絵文字表示領域３３の第１の絵文字用ＴＦＴ５１および第２の絵文字用ＴＦＴ５２に入力する役割も果す。そして、第１の絵文字２１の画素は、第１の絵文字用ＴＦＴ５１、第１の絵文字用ＴＦＴ５１に接続する第１の絵文字電極２３、第１の絵文字電極２３に対向するコモン電極３２、および、第１の絵文字電極２３とコモン電極３２に挟まれた液晶３６とから構成される。また、第２の絵文字２２の画素は、第２の絵文字用ＴＦＴ５２、第２の絵文字用ＴＦＴ５２に接続する第２の絵文字電極２４、第２の絵文字電極２４に対向するコモン電極３２、および、第２の絵文字電極２４とコモン電極３２に挟まれた液晶３６とから構成される。これら絵文字の画素は、データ側集積回路２６の出力をデータ信号とし、走査側集積回路２７の出力を走査信号として駆動される。
なお、絵文字表示領域３３に、背景２８（第１図（ｂ）参照）を表示するための背景電極２５を設ける場合、背景電極２５を信号ライン３０に接続し、この信号ライン３０を、データ側集積回路２６にさらに追加して設けられたクロム（Ｃｒ）金属の電極に接続してもよい。あるいは、第１の絵文字電極２３と同様に、背景電極２５をＴＦＴを介して、データ側集積回路２６にさらに追加して設けられたクロム（Ｃｒ）金属の電極に接続してもよい。この場合、ＴＦＴのソース端子を、信号ライン３０を介してデータ側集積回路２６に接続し、そのドレイン端子を背景電極２５に接続し、そのゲート端子を第１の絵文字用ＴＦＴ５１のゲート端子と同じ走査ライン７、または異なる走査ライン７に接続すればよい。
次に、上述した構成の液晶表示装置１０１５の動作を第１１図に示すタイミン




【国際調査報告】
2003088201.tif 000024
2003088201.tif 000025
2003088201.tif 000026
2003088201.tif 000027